(57)【要約】【課題】  ユーザの満足度が低い出力結果が得られてしまうことを抑制しつつ、レイアウト情報の出力におけるユーザビリティを向上させることを目的とする。【解決手段】  レイアウト情報によって表わされる複数の画像のうち非レイアウト画像が閲覧されておらず、前記レイアウト情報によって表わされる前記複数の画像のうちレイアウト画像が閲覧されている場合、閲覧されていない画像があること示すメッセージを表示部に表示するための表示処理を実行せず、前記レイアウト情報によって表わされる前記複数の画像のうち前記レイアウト画像が閲覧されていない場合、前記表示処理を実行する表示ステップを実行させるプログラムを提供することによって課題を解決する。【選択図】  図１
2018124779.tif 000002
【特許請求の範囲】
【請求項１】
画像データによって表わされる配置画像がテンプレートに配置されたレイアウト画像、及びテキストと前記配置画像の両方が配置されていない非レイアウト画像を含む複数の画像を表わすレイアウト情報を処理する画像処理装置のコンピュータに、
前記レイアウト情報によって表わされる前記複数の画像のうち前記非レイアウト画像が閲覧されておらず、前記レイアウト情報によって表わされる前記複数の画像のうち前記レイアウト画像が閲覧されている場合、閲覧されていない画像があること示すメッセージを表示部に表示するための表示処理を実行せず、前記レイアウト情報によって表わされる前記複数の画像のうち前記レイアウト画像が閲覧されていない場合、前記表示処理を実行する表示ステップと、
前記メッセージが表示された場合、前記メッセージが表示された後のユーザ操作に従って、前記レイアウト情報を前記画像処理装置の外部に送信するための送信処理を実行する送信ステップと、
を実行させることを特徴とするプログラム。
【請求項２】
前記レイアウト情報によって表わされる前記複数の画像のうち前記レイアウト画像が閲覧されていない場合は、前記レイアウト画像が閲覧され、且つ前記メッセージが表示された後のユーザ操作に従って、前記送信処理が実行されることを特徴とする請求項１に記載のプログラム。
【請求項３】
前記レイアウト情報によって表わされる前記複数の画像のうち前記レイアウト画像が閲覧されていない場合は、さらに、前記送信処理を行うか否かを示す入力を受け付けるための領域が表示され、
前記送信処理を行うことを示す入力が受け付けられた場合、前記送信処理が実行され、前記送信処理を行うことを示す入力が受け付けられなかった場合、前記送信処理が実行されないことを特徴とする請求項１に記載のプログラム。
【請求項４】
前記レイアウト情報によって表わされる前記複数の画像のうち、テキストを含み且つ前記配置画像を含まないテキスト画像が閲覧されておらず、前記レイアウト情報によって表わされる前記複数の画像のうち前記レイアウト画像が閲覧されている場合、前記表示処理が実行されないことを特徴とする請求項１乃至３のいずれか１項に記載のプログラム。
【請求項５】
前記レイアウト情報によって表わされる前記複数の画像のうち、テキストを含み且つ前記配置画像を含まないテキスト画像が閲覧されておらず、前記レイアウト情報によって表わされる前記複数の画像のうち前記レイアウト画像が閲覧されている場合、前記表示処理が実行されることを特徴とする請求項１乃至３のいずれか１項に記載のプログラム。
【請求項６】
前記レイアウト情報によって表わされる前記複数の画像のうち前記テキスト画像が閲覧されておらず、前記レイアウト情報によって表わされる前記複数の画像のうち前記レイアウト画像が閲覧されている場合は、前記テキスト画像が閲覧され、且つ前記メッセージが表示された後のユーザ操作に従って、前記送信処理が実行されることを特徴とする請求項５に記載のプログラム。
【請求項７】
前記レイアウト情報によって表わされる前記複数の画像のうち、テキストを含み且つ前記配置画像を含まないテキスト画像が閲覧されておらず、前記レイアウト情報によって表わされる前記複数の画像のうち前記レイアウト画像が閲覧されている場合、さらに、前記送信処理を行うか否かを示す入力を受け付けるための領域が表示され、
前記送信処理を行うことを示す入力が受け付けられた場合、前記送信処理が実行され、前記送信処理を行うことを示す入力が受け付けられなかった場合、前記送信処理が実行されないことを特徴とする請求項５に記載のプログラム。
【請求項８】
前記レイアウト情報を編集可能な共同編集者として、所定のユーザ及び前記所定のユーザ以外の他のユーザが設定されており、且つ前記レイアウト情報によって表わされる前記複数の画像のうち前記レイアウト画像が前記他のユーザによって閲覧されていない場合は、前記他のユーザによって閲覧されていない画像があることを示す通知メッセージが前記表示部に表示され、
前記共同編集者として、前記所定のユーザ及び前記他のユーザが設定されており、且つ前記レイアウト情報によって表わされる前記複数の画像のうち前記非レイアウト画像が前記他のユーザによって閲覧されておらず、前記レイアウト情報によって表わされる前記複数の画像のうち前記レイアウト画像が閲覧されている場合は、前記通知メッセージが前記表示部に表示されないことを特徴とする請求項１乃至７のいずれか１項に記載のプログラム。
【請求項９】
前記共同編集者として、前記所定のユーザ及び前記他のユーザが設定されており、且つ前記レイアウト情報によって表わされる前記複数の画像のうち前記レイアウト画像が前記他のユーザによって閲覧されていない場合は、前記他のユーザによって前記レイアウト画像が閲覧された後に、前記送信処理が実行されることを特徴とする請求項８に記載のプログラム。
【請求項１０】
前記共同編集者として、前記所定のユーザ及び前記他のユーザが設定されており、且つ前記レイアウト情報によって表わされる前記複数の画像のうち前記レイアウト画像が前記他のユーザによって閲覧されていない場合は、前記レイアウト画像の閲覧を前記他のユーザに要求するための情報が前記画像処理装置の外部に送信されることを特徴とする請求項８又は９に記載のプログラム。
【請求項１１】
前記共同編集者として、前記所定のユーザ及び前記他のユーザが設定されており、且つ前記レイアウト情報によって表わされる前記複数の画像のうち前記レイアウト画像が前記他のユーザによって閲覧されていない場合は、前記送信処理を行うか否かを前記他のユーザに問うための情報が前記画像処理装置の外部に送信されることを特徴とする請求項８又は９に記載のプログラム。
【請求項１２】
前記他のユーザによる操作により送信された、前記送信処理を行うか否かを示す情報を受信する受信ステップを更に実行させ、
前記送信処理を行うことを示す情報が受信された場合、前記送信処理が実行され、前記送信処理を行うことを示す情報が受信された場合、前記送信処理が実行されないことを特徴とする請求項１１に記載のプログラム。
【請求項１３】
前記レイアウト画像は、テキスト及び前記配置画像の両方を含むことを特徴とする請求項１乃至１２のいずれか１項に記載のプログラム。
【請求項１４】
前記レイアウト画像は、テキストを含まず、前記配置画像を含むことを特徴とする請求項１乃至１２のいずれか１項に記載のプログラム。
【請求項１５】
ユーザからの選択指示を受け付けることなく、複数のテンプレートから少なくとも１つのテンプレートを自動で選択する第１選択ステップと、
ユーザからの選択指示を受け付けることなく、複数の画像データから少なくとも１つの画像データを自動で選択する第２選択ステップと、を更に実行させ、
前記レイアウト画像は、選択された画像データによって表わされる配置画像が、選択されたテンプレートに配置された画像であることを特徴とする請求項１乃至１４のいずれか１項に記載のプログラム。
【請求項１６】
前記複数の画像データを評価する評価ステップを更に有し、
前記複数の画像データの評価に基づいて、前記複数の画像データから少なくとも１つの画像データが選択されることを特徴とする請求項１５に記載のプログラム。
【請求項１７】
前記送信処理とは、前記レイアウト情報に基づくアルバムを注文するための処理であることを特徴とする請求項１乃至１６のいずれか１項に記載のプログラム。
【請求項１８】
前記送信処理とは、前記レイアウト情報に基づく画像を印刷するための処理であることを特徴とする請求項１乃至１６のいずれか１項に記載のプログラム。
【請求項１９】
前記送信処理とは、前記レイアウト情報を外部サーバにアップロードするための処理であることを特徴とする請求項１乃至１８のいずれか１項に記載のプログラム。
【請求項２０】
前記配置画像は、ユーザから受け付けられた設定情報の入力に基づいて、複数の画像データから自動で選択された画像データによって表わされる画像であり、
前記配置画像は、前記設定情報の内容に応じて異なる画像であることを特徴とする請求項１乃至１９のいずれか１項に記載のプログラム。
【請求項２１】
前記設定情報は、前記配置画像の候補となる画像を表わす画像データを設定するための情報、前記配置画像に含まれるオブジェクトを設定するための情報、前記配置画像の数、前記複数の画像に含まれる画像の枚数を設定するための情報のうち少なくとも１つであることを特徴とする請求項２０に記載のプログラム。
【請求項２２】
ユーザから受け付けられた設定情報の内容に応じて異なるコンテンツを少なくとも含むレイアウト画像、及び前記コンテンツを含まない非レイアウト画像を含む複数の画像を表わすレイアウト情報を処理する画像処理装置のコンピュータに、
前記レイアウト情報によって表わされる前記複数の画像のうち前記非レイアウト画像が閲覧されておらず、前記レイアウト情報によって表わされる前記複数の画像のうち前記レイアウト画像が閲覧されている場合、閲覧されていない画像があること示すメッセージを表示部に表示するための表示処理を実行せず、前記レイアウト情報によって表わされる前記複数の画像のうち前記レイアウト画像が閲覧されていない場合、前記表示処理を実行する表示ステップと、
前記メッセージが表示された場合、前記メッセージが表示された後のユーザ操作に従って、前記レイアウト情報を前記画像処理装置の外部に送信するための送信処理を実行する送信ステップと、
を実行させることを特徴とするプログラム。
【請求項２３】
前記非レイアウト画像は、前記設定情報の内容に応じて異ならないコンテンツを含む画像であることを特徴とする請求項２２に記載のプログラム。
【請求項２４】
前記設定情報は、前記配置画像の候補となる画像を表わす画像データを設定するための情報、前記配置画像に含まれるオブジェクトを設定するための情報、前記配置画像の数、前記複数の画像に含まれる画像の枚数を設定するための情報のうち少なくとも１つであることを特徴とする請求項２２又は２３に記載のプログラム。
【請求項２５】
前記コンテンツは、画像又はテキストであることを特徴とする請求項２２乃至２４のいずれか１項に記載のプログラム。
【請求項２６】
ユーザからの選択指示を受け付けることなく、複数のテンプレートから少なくとも１つのテンプレートを自動で選択する第１選択ステップと、
ユーザからの選択指示を受け付けることなく、複数の画像データから少なくとも１つの画像データを自動で選択する第２選択ステップと、を更に実行させ、
前記レイアウト画像は、選択された画像データによって表わされる前記コンテンツが、選択されたテンプレートに配置された画像であることを特徴とする請求項２２乃至２５のいずれか１項に記載のプログラム。
【請求項２７】
画像データによって表わされる配置画像がテンプレートに配置されたレイアウト画像、及びテキストと前記配置画像の両方が配置されていない非レイアウト画像を含む複数の画像を表わすレイアウト情報を処理する画像処理装置の制御方法であって、
前記レイアウト情報によって表わされる前記複数の画像のうち前記非レイアウト画像が閲覧されておらず、前記レイアウト情報によって表わされる前記複数の画像のうち前記レイアウト画像が閲覧されている場合、閲覧されていない画像があること示すメッセージを表示部に表示するための表示処理を実行せず、前記レイアウト情報によって表わされる前記複数の画像のうち前記レイアウト画像が閲覧されていない場合、前記表示処理を実行する表示ステップと、
前記メッセージが表示された場合、前記メッセージが表示された後のユーザ操作に従って、前記レイアウト情報を前記画像処理装置の外部に送信するための送信処理を実行する送信ステップと、
を有することを特徴とする制御方法。
【請求項２８】
画像データによって表わされる配置画像がテンプレートに配置されたレイアウト画像、及びテキストと前記配置画像の両方が配置されていない非レイアウト画像を含む複数の画像を表わすレイアウト情報を処理する画像処理装置であって、
前記レイアウト情報によって表わされる前記複数の画像のうち前記非レイアウト画像が閲覧されておらず、前記レイアウト情報によって表わされる前記複数の画像のうち前記レイアウト画像が閲覧されている場合、閲覧されていない画像があること示すメッセージを表示部に表示するための表示処理を実行せず、前記レイアウト情報によって表わされる前記複数の画像のうち前記レイアウト画像が閲覧されていない場合、前記表示処理を実行する表示手段と、
前記メッセージが表示された場合、前記メッセージが表示された後のユーザ操作に従って、前記レイアウト情報を前記画像処理装置の外部に送信するための送信処理を実行する送信手段と、
を有することを特徴とする画像処理装置。
【請求項２９】
ユーザから受け付けられた設定情報の内容に応じて異なるコンテンツを少なくとも含むレイアウト画像、及び前記コンテンツを含まない非レイアウト画像を含む複数の画像を表わすレイアウト情報を処理する画像処理装置の制御方法であって、
前記レイアウト情報によって表わされる前記複数の画像のうち前記非レイアウト画像が閲覧されておらず、前記レイアウト情報によって表わされる前記複数の画像のうち前記レイアウト画像が閲覧されている場合、閲覧されていない画像があること示すメッセージを表示部に表示するための表示処理を実行せず、前記レイアウト情報によって表わされる前記複数の画像のうち前記レイアウト画像が閲覧されていない場合、前記表示処理を実行する表示ステップと、
前記メッセージが表示された場合、前記メッセージが表示された後のユーザ操作に従って、前記レイアウト情報を前記画像処理装置の外部に送信するための送信処理を実行する送信ステップと、
を有することを特徴とする制御方法。
【請求項３０】
ユーザから受け付けられた設定情報の内容に応じて異なるコンテンツを少なくとも含むレイアウト画像、及び前記コンテンツを含まない非レイアウト画像を含む複数の画像を表わすレイアウト情報を処理する画像処理装置であって、
前記レイアウト情報によって表わされる前記複数の画像のうち前記非レイアウト画像が閲覧されておらず、前記レイアウト情報によって表わされる前記複数の画像のうち前記レイアウト画像が閲覧されている場合、閲覧されていない画像があること示すメッセージを表示部に表示するための表示処理を実行せず、前記レイアウト情報によって表わされる前記複数の画像のうち前記レイアウト画像が閲覧されていない場合、前記表示処理を実行する表示手段と、
前記メッセージが表示された場合、前記メッセージが表示された後のユーザ操作に従って、前記レイアウト情報を前記画像処理装置の外部に送信するための送信処理を実行する送信手段と、
を有することを特徴とする画像処理装置。
【発明の詳細な説明】
【技術分野】
【０００１】
本発明は、画像処理装置、制御方法、及びプログラムに関する。
【背景技術】
【０００２】
従来、画像データによって表わされる画像がテンプレートに配置されたレイアウト画像を含む複数の画像を表わすレイアウト情報を生成する方法が知られている。特許文献１には、テンプレートやそれに配置される画像を自動で選択することで、アルバムを作成するための情報を自動で生成する方法が記載されている。
【先行技術文献】
【特許文献】
【０００３】
【特許文献１】特開２０１０−７２９３４号公報
【発明の概要】
【発明が解決しようとする課題】
【０００４】
ところで、例えば特許文献１に記載されているようにして生成されたレイアウト情報により表わされる画像をユーザが閲覧せずに、レイアウト情報が外部への送信されてしまうことがある。その場合、ユーザの満足度が低い出力結果が得られてしまうことがある。そこで、レイアウト情報により表わされる画像のうち、ユーザが閲覧していない画像がある場合には、エラー画面を表示する等して、レイアウト情報の外部への送信が行われないように制御する形態がある。しかしながら、このような形態では、ユーザによる閲覧を必ずしも要しない画像が、ユーザによって閲覧されていない状態でも、レイアウト情報の外部への送信が行われないように制御されてしまうという課題がある。ひいては、ユーザに煩雑な操作が要求されてしまうという課題がある。
【０００５】
上述の課題を解決するために本発明は、ユーザの満足度が低い出力結果が得られてしまうことを抑制しつつ、レイアウト情報の外部への送信におけるユーザビリティを向上させることを目的とする。
【課題を解決するための手段】
【０００６】
そこで、上記目的を達成するために本発明のプログラムは、画像データによって表わされる配置画像がテンプレートに配置されたレイアウト画像、及びテキストと前記配置画像の両方が配置されていない非レイアウト画像を含む複数の画像を表わすレイアウト情報を処理する画像処理装置のコンピュータに、
前記レイアウト情報によって表わされる前記複数の画像のうち前記非レイアウト画像が閲覧されておらず、前記レイアウト情報によって表わされる前記複数の画像のうち前記レイアウト画像が閲覧されている場合、閲覧されていない画像があること示すメッセージを表示部に表示するための表示処理を実行せず、前記レイアウト情報によって表わされる前記複数の画像のうち前記レイアウト画像が閲覧されていない場合、前記表示処理を実行する表示ステップと、
前記メッセージが表示された場合、前記メッセージが表示された後のユーザ操作に従って、前記レイアウト情報を前記画像処理装置の外部に送信するための送信処理を実行する送信ステップと、
を実行させることを特徴とする。
【０００７】
また、本発明のプログラムは、ユーザから受け付けられた設定情報の内容に応じて異なるコンテンツを少なくとも含むレイアウト画像、及び前記コンテンツを含まない非レイアウト画像を含む複数の画像を表わすレイアウト情報を処理する画像処理装置のコンピュータに、
前記レイアウト情報によって表わされる前記複数の画像のうち前記非レイアウト画像が閲覧されておらず、前記レイアウト情報によって表わされる前記複数の画像のうち前記レイアウト画像が閲覧されている場合、閲覧されていない画像があること示すメッセージを表示部に表示するための表示処理を実行せず、前記レイアウト情報によって表わされる前記複数の画像のうち前記レイアウト画像が閲覧されていない場合、前記表示処理を実行する表示ステップと、
前記メッセージが表示された場合、前記メッセージが表示された後のユーザ操作に従って、前記レイアウト情報を前記画像処理装置の外部に送信するための送信処理を実行する送信ステップと、
を実行させることを特徴とする。
【発明の効果】
【０００８】
ユーザの満足度が低い出力結果が得られてしまうことを抑制しつつ、レイアウト情報の出力におけるユーザビリティを向上させることができる。
【図面の簡単な説明】
【０００９】
【図１】印刷システムの構成を示す図である。
【図２】アルバム作成アプリケーションのソフトウェア構成を示すブロック図である。
【図３】アルバム作成アプリケーションにより表示される設定画面の図である。
【図４】アルバム作成アプリケーションにより実行される自動レイアウト処理を示すフローチャートである。
【図５】画像データの画像解析情報を管理するテーブルを示す図である。
【図６】画像データ群の分割を説明するための図である。
【図７】シーンの分類分けを説明するための図である。
【図８】メインスロットとサブスロットについての得点化を説明するための図である。
【図９】画像データの選択を説明するための図である。
【図１０】画像データのレイアウトを説明するための図である。
【図１１】画像処理装置が実行する処理を示すフローチャートである。
【図１２】閲覧状態管理データを示す図である。
【図１３】確認画面を示す図である。
【図１４】閲覧状態管理データを示す図である。
【図１５】閲覧状態管理データを示す図である。
【図１６】エラー画面を示す図である。
【図１７】警告画面を示す図である。
【図１８】印刷システムの構成を示す図である。
【図１９】画像処理装置が実行する処理を示すフローチャートである。
【図２０】画像処理装置が実行する処理を示すフローチャートである。
【図２１】画像処理装置が実行する処理を示すフローチャートである。
【図２２】画像処理装置が実行する処理を示すフローチャートである。
【図２３】閲覧状態管理データを示す図である。
【図２４】画像処理装置のハードウェア構成を示すブロック図である。
【図２５】アルバムの各部位の名前を示す図である。
【図２６】エラー画面を示す図である。
【図２７】警告画面を示す図である。
【発明を実施するための形態】
【００１０】
以下、添付図面を参照して本発明の好適な実施の形態を詳しく説明する。なお、以下の実施の形態は特許請求の範囲に関わる本発明を限定するものでなく、また本実施の形態で説明されている特徴の組み合わせすべてが本発明の解決手段に必須のものとは限らない。
【００１１】
以下の実施形態では、画像処理装置上で、アルバム（フォトアルバム、フォトブック）作成のためのアプリケーションプログラム（以下、「アルバム作成アプリ」ともいう）を動作させる形態について説明する。以下に説明する画像とは、特に断りが無い限り、静止画、動画、動画中のフレーム画像、また、ＳＮＳ（ソーシャル・ネットワーキング・サービス）上の静止画と動画と動画中のフレーム画像を含む。
【００１２】
（第１実施形態）
図２４は、本発明に係る画像処理装置１００のハードウェアの構成を説明するブロック図である。画像処理装置としては、例えば、ＰＣ（パーソナルコンピュータ）、スマートフォン、タブレット端末、カメラ、プリンタ等が挙げられ、本実施形態ではＰＣとする。
【００１３】
図２４において、画像処理装置１００は、ＣＰＵ１０１と、ＲＯＭ１０２と、ＲＡＭ１０３と、ＨＤＤ１０４と、ディスプレイ１０５と、キーボード１０６と、マウス１０７と、データ通信部１０８と、を備えている。これらは、データバス１０９により相互に接続されている。
【００１４】
ＣＰＵ（中央演算装置／プロセッサ）１０１は、システム制御部であり、画像処理装置１００全体を制御する。また、ＣＰＵ１０１は、本実施形態で説明する画像処理方法をプログラムに従って実行する。なお、図中のＣＰＵは１つとしたが、これに限定されず、複数備えられていてもよい。
【００１５】
ＲＯＭ１０２には、ＣＰＵ１０１により実行されるプログラムやＯＳ（オペレーティングシステム）が記憶されている。ＲＡＭ１０３は、ＣＰＵ１０１によるプログラムの実行時に、各種情報を一時的に記憶するためのメモリを提供している。ＨＤＤ（ハードディスク）１０４は、画像ファイルや画像解析などの処理結果を保持するデータベースなどを記憶するための記憶媒体である。本実施形態では、ＲＡＭ１０３は、後述するアルバム作成アプリを記憶する。
【００１６】
ディスプレイ１０５（表示部）は、本実施形態のＵＩ（ユーザインターフェイス）や画像のレイアウト結果をユーザに提示する装置である。ディスプレイ１０５は、タッチセンサー機能を備えていても良い。キーボード１０６は、入力装置の１つであり、例えば、ディスプレイ１０５に表示されたＵＩ上に所定の情報を入力するのに用いられる。所定の情報とは、例えば、作成したいアルバムの見開き数やページ数等の情報である。マウス１０７は、入力装置の１つであり、例えば、ディスプレイ１０５に表示されたＵＩ上のボタンをクリックするのに用いられる。なお、例えばユーザが、ディスプレイ１０５に表示されている、アルバム作成アプリに対応するアイコンを、マウス１０７の操作によりダブルクリックすることで、アルバム作成アプリが起動する。
【００１７】
データ通信部１０８（通信部）は、プリンタやサーバなどの外部装置と通信するための装置である。例えば、アルバム作成アプリによって作成されたデータは、データ通信部１０８を介して、画像処理装置１００に接続された不図示のプリンタやサーバに送信される。また、データ通信部１０８は、不図示のサーバやＳＮＳ（ソーシャルネットワーキングサービス）サーバ上の静止画データを受信する。なお、本実施形態では、データ通信部１０８は、ＳＮＳサーバから静止画データを受信するが、動画データも受信しても良い。
【００１８】
データバス１０９は、上述した各部（１０２〜１０８）とＣＰＵ１０１とを接続する。
【００１９】
図１は、本実施形態の印刷システムを示す図である。この印刷システムには、画像処理装置１００のほかに、画像形成装置２００、ネットワーク３００、外部サーバ４００及び画像形成装置５００が含まれるものとする。
【００２０】
画像形成装置２００は、画像処理装置１００等から受け付ける印刷ジョブに基づいて、記録剤によって記録媒体上に画像を形成する画像形成処理（印刷処理）を実行する。なお、本実施形態では、画像処理装置１００が、生成したレイアウト情報を外部サーバに送信（出力）する形態を説明するが、例えば、画像処理装置１００が、生成したレイアウト情報を印刷ジョブとして画像形成装置２００に送信する形態であっても良い。この場合、レイアウト情報に基づくアルバムは、画像形成装置２００によって作成される。
【００２１】
ネットワーク３００は、画像処理装置１００及び外部サーバ４００と接続しており、両者の間における情報の伝達を行うための通信網である。なお、ネットワーク３００は、有線ネットワークであっても良いし、無線ネットワークであっても良い。
【００２２】
外部サーバ４００は、ネットワーク３００を介して画像処理装置１００から後述のレイアウト情報を受け付ける。すなわち、外部サーバ４００は、アルバムの受注・管理を司るサーバである。外部サーバ４００は、画像処理装置１００を操作するユーザによってアルバム購入手続きが行われたら、受け付けたレイアウト情報に基づくアルバムを、画像形成装置５００に画像形成処理によって作成させる。その後、画像形成装置５００によって作成されたアルバムは、アルバム購入手続きを行ったユーザに届けられる。
【００２３】
＜アルバムの自動レイアウト＞
図２は、本実施形態のアルバム作成用のアプリケーションプログラム（以下、アルバム作成アプリ）のソフトウェアブロック図である。本実施形態では、ＨＤＤ１０４に保存されているアルバム作成アプリは、ディスプレイ１０５に表示されている、アルバム作成アプリに対応するアイコンを、ユーザがマウス１０７の操作によりダブルクリックすることで起動される。また、アルバム作成アプリは、例えば、データ通信部１０８を介して外部のサーバからインストールされることで、ＨＤＤ１０４に保存される。
【００２４】
アルバム作成アプリは様々な機能を持つが、ここでは、特に自動レイアウト処理部２１９により提供される自動レイアウト機能に関して説明する。自動レイアウト機能は、静止画や動画をその内容や属性に基づいて分類及び選択することで取得された画像データによって表わされる画像が、予め用意されたテンプレートに配置された画像であるレイアウト画像を作成するための機能である。ひいては、レイアウト画像を表わすためのレイアウト情報を生成するための機能である。このようにして表示されたレイアウト画像は、ユーザがアルバム注文処理を実行することで、アルバムとして出力される。
【００２５】
図２に示すように、アルバム作成アプリは、アルバム作成条件指定部２０１と、自動レイアウト処理部２１９と、を含む。
【００２６】
アルバム作成条件指定部２０１は、例えばマウス１０７による後述のＵＩ操作に応じたアルバム作成条件の指定を受付け、自動レイアウト処理部２１９に出力する。指定される条件には、例えば処理の対象となる画像データの範囲や主人公のＩＤ、アルバムの見開き数、テンプレート情報、画像補正のＯＮ／ＯＦＦ条件、動画使用のＯＮ／ＯＦＦ条件、アルバムのモード等の指定が含まれる。処理の対象となる画像データの範囲とはすなわち、テンプレートに配置される画像の候補となる画像を表わす画像データの範囲である。画像データの指定は、例えば、撮影日時など個別の画像データの付随情報や属性情報による指定であってもよいし、デバイスやディレクトリ（フォルダ）の指定など、画像データを含むファイルシステムの構造に基づく指定であってもよい。なお、見開きとは、異なるシート（又はページ）に印刷された、互いに隣接する１対のページに相当する。また、本実施形態のアルバム作成アプリでは、一つの表示用ウィンドウで１つの見開きのレイアウトを作成するものとする。なお、アルバム作成条件指定部２０１は、例えば図３に示すような設定画面を表示し、当該画面に対する入力を受け付けることで、アルバム作成条件の指定を受付ける。なお、動画解析部２０３は、動画データから切り出され、時系列順に管理されているフレームを、所定の間隔毎に抽出して解析対象とする。なお、動画解析部２０３は、オブジェクト検出、サイズ特定、笑顔判定、目瞑り判定、ブレボケ判定、明るさ判定等の解析処理により、動画におけるどのフレームが良い画像かを特定することができる。
【００２７】
フレーム取得部２０４は、動画解析部２０３で解析された結果（評価）に基づいて、動画からフレームを切り出し、切り出したフレームを画像データとしてＨＤＤ１０４に保存する。
【００２８】
画像取得部２０５は、アルバム作成条件指定部２０１により指定された画像群（画像データ群）をＨＤＤ１０４等の記憶領域から取得する。なお、画像取得部２０５は、データ通信部１０８を介してネットワーク上のサーバやＳＮＳサーバ等の記憶領域から画像群を取得しても良い。ここでいう画像群とは、アルバム作成に利用される画像データの候補を指す。例えば、アルバム作成条件指定部２０１において、レイアウト対象となる画像データが生成された（当該画像データに対応する写真が撮影された）日時（以後、撮影日時という。）に関する条件としてＸＸ年１月１日〜ＸＸ年１２月３１日が指定される場合がある。この場合、画像取得部２０５は、ＸＸ年１月１日〜ＸＸ年１２月３１日に生成された全ての画像データを画像群として取得する。
【００２９】
記憶領域に保存されている画像データは、例えば、静止画像データや、動画データからフレームが切り出されることで取得される切り出し画像データである。静止画像データや切り出し画像データは、撮像デバイスから取得されたものである。撮像デバイスは、画像処理装置１００が備えていてもよいし、画像処理装置１００の外部の装置である外部装置（ＰＣやスマートホン、デジタルカメラ、タブレット端末等）が備えるものであってもよい。なお、画像処理装置１００は、外部装置から画像データを取得する場合は、データ通信部１０８を介して画像データを取得する。また、画像処理装置１００は、静止画像データや切り出し画像データを、データ通信部１０８を介してネットワークやサーバから取得してもよい。ＣＰＵ１０１は、画像データに付随したデータを解析して、各画像データがどこから取得されたのかを判定する。
【００３０】
画像変換部２０６は、画像取得部２０５によって取得された画像データの画素数情報や色情報を変換する。なお、画像変換部２０６によって、どのような画素数情報や色情報の画像データへの変換が行われるかは予め決められており、その情報は、アルバム作成アプリ又はアルバム作成アプリが用いるパラメータファイルに保存されている。本実施形態では、画像取得部２０５によって取得された画像データを、画素数が短辺４２０画素、色情報がｓＲＧＢである画像データに変換する。
【００３１】
画像解析部２０７は、画像データの解析処理をする。本実施形態では、画像解析部２０７は、画像変換部２０６で変換済みの画像データの解析処理をする。具体的には、変換済みの画像データから特徴量を取得し、変換済みの画像データにおけるオブジェクト検出、顔検出、検出した顔の表情認識、検出した顔の個人認識を実行する。さらに、画像取得部２０５によって取得された変換前の画像データに付随したデータ（例えば、Ｅｘｉｆ情報）から、撮影日時情報の取得を行う。撮影日時情報として、Ｅｘｉｆ情報からの取得に限らず、画像データを作成または更新した日時の情報が用いられてもよい。また、ローカルサーバやＳＮＳサーバに画像データをアップロードまたはローカルサーバやＳＮＳサーバから画像データをダウンロードした日時の情報が用いられてもよい。これらの日時の情報も、以下では撮影日時情報として取り扱う。なお、ローカルサーバとは、ＨＤＤ１０４等の、画像処理装置１００が備える記憶領域であるものとする。
【００３２】
画像分類部２０８は、画像データ群に対して、撮影日時情報や枚数、検出した顔情報などのオブジェクト検出結果情報を使って後述のシーン分割、シーン分類を実行する。シーンとは、「旅行」や「日常」、「結婚式」等の撮影シーンのことである。シーンとは、例えば、一時期の撮影機会に生成された画像データの集まりであるともいえる。
【００３３】
主人公情報入力部２０９は、アルバム作成条件指定部２０１から指定された主人公のＩＤ（識別情報）を画像得点部２１０に入力する。
【００３４】
画像得点部２１０は、各画像データに対して、レイアウトに適した画像データが高得点になるように得点付けをする。得点付けは、画像解析部２０７で得られた情報と、画像分類部２０８で得られた情報に応じて実行される。また、他の情報が付加的に或いは代替的に用いられてもよい。本実施形態では、画像得点部２１０は、主人公情報入力部２０９から入力された主人公ＩＤが含まれる画像データの得点が高得点になるように、各画像データに対して得点付けをする。
【００３５】
見開き入力部２１１は、アルバム作成条件指定部２０１から指定されたアルバムの見開き数を見開き割当部２１２に入力する。
【００３６】
見開き割当部２１２は、画像群を分割（グルーピング）して各見開きに割り当てる。見開き割当部２１２は、入力された見開き数に応じて画像群を分割して、各見開きに画像群の一部を割り当てる。
【００３７】
画像選択部２１３は、見開き割当部２１２で各見開きに割り当てられた画像群から、画像得点部２１０で付けた得点に基づいて、画像データを選択する。
【００３８】
テンプレート設定部２１４は、アルバム作成条件指定部２０１から指定されたテンプレート情報に応じた複数のテンプレートをＨＤＤ１０４から読み込み、画像レイアウト部２１５に入力する。なお、本実施形態では、複数のテンプレートは、ＨＤＤ１０４に保存されているアルバム作成アプリに保持されているものとする。また、複数のテンプレートには、例えば、テンプレート全体のサイズに関する情報や、テンプレートが備えるスロットの個数、サイズ、位置に関する情報等が含まれる。
【００３９】
画像レイアウト部２１５は、見開きのレイアウトを決定する。具体的には、テンプレート設定部２１４により入力された複数のテンプレートから画像選択部２１３で選択した画像データに適したテンプレートを選択し、各画像の配置位置を決定する。これにより、見開きのレイアウトが決定される。レイアウト情報出力部２１８から出力される画像データは、例えば図１３に示すような形式でディスプレイ１０５に表示される。
【００４０】
レイアウト情報出力部２１８は、画像レイアウト部２１５が決定したレイアウトに従って、ディスプレイ１０５にレイアウト画像を表示するためのレイアウト情報を出力する。レイアウト画像は、例えば、選択されたテンプレートに画像選択部２１３により選択された画像データが表わす画像が配置された画像であり、レイアウト情報は、当該画像を表わすビットマップデータである。
【００４１】
画像補正部２１７は、覆い焼き補正（輝度補正）、赤目補正、コントラスト補正等の各補正処理を実行する。補正条件入力部２１６は、アルバム作成条件指定部２０１から指定された画像補正のＯＮ／ＯＦＦ条件を画像補正部２１７に入力する。
【００４２】
本実施形態に係るアルバム作成アプリが、画像処理装置１００にインストールされると画像処理装置１００上で動作するＯＳによりディスプレイ１０５に表示されるトップ画面（デスクトップ）上に起動アイコンが生成される。そして、ユーザが起動アイコンをマウス１０７の操作によりダブルクリックすると、ＨＤＤ１０４に保存されているアルバム作成アプリのプログラムがＲＡＭ１０３にロードされる。そして、ＲＡＭ１０３にロードされたプログラムがＣＰＵ１０１によって実行されて、アルバム作成アプリケーションが起動する。
【００４３】
図３は、起動したアルバム作成アプリが提供するＵＩ構成画面３０１の一例を示す図である。ＵＩ構成画面３０１は、ディスプレイ１０５に表示される。ユーザがＵＩ構成画面３０１を介して、後述するアルバムの作成条件を設定することで、アルバム作成条件指定部２０１は、ユーザから指定される設定内容を取得する。ＵＩ構成画面３０１上のパスボックス３０２は、アルバム作成の対象となる画像・動画群のＨＤＤ１０４中の保存場所（パス）を示す。フォルダ選択ボタン３０３は、ユーザによるマウス１０７の操作によりクリックされることより、アルバム作成の対象とする画像・動画群を含むフォルダをツリー構成でユーザが選択可能に表示する。そして、ユーザにより選択された画像・動画群を含むフォルダパスがパスボックス３０２に表示される。
【００４４】
主人公指定アイコン３０４は、ユーザが主人公を指定するためのアイコンであり、人物の顔画像がアイコンとして表示される。そして、ユーザ操作によって選択されたアイコンに対応する人物が、作成対象のアルバムの主人公として設定される。また、主人公指定アイコン３０４は、解析対象の画像データが表わす画像に写った人物から中心人物である主人公を特定するために用いられる。主人公指定アイコン３０４は、例えば顔データベースに登録された人物の顔画像のうち、ユーザによって選択された人物の顔画像や後述の方法で決定された人物の顔画像である。なお、主人公は図４に示す手順で自動設定されることもできる。  見開き数ボックス３０５は、ユーザからのアルバムの見開き数の設定を受け付ける。ユーザは、キーボード１０６を介して見開き数ボックス３０５に直接数字を入力するか、マウス１０７を用いてリストから見開き数ボックスに数字を入力する。なお、アルバムの見開き数とは、後述のレイアウト情報によって表わされる複数の画像に含まれる画像の枚数に相当する。
【００４５】
テンプレート指定アイコン３０６は、テンプレートのテイスト（ポップ調やシック調等）別にイラスト画像を表示する。そして、ユーザ操作によって選択されたアイコンに対応するテンプレートが、作成対象のアルバムに用いられるテンプレートとして設定される。本実施形態では、テンプレートは、画像データを配置するための画像配置枠（スロット）を有する。そして、テンプレートが有するスロットに、画像データが埋め込まれることで、１つのレイアウト画像が完成する。
【００４６】
モード指定部３０７は、作成対象のアルバムのモードに対応するアイコンである。なお、アルバムのモードとは、所定のオブジェクトを含む画像を優先してテンプレートにレイアウトするためのモードであり、各モードのアルバムには、各モードに応じたオブジェクトがより多く配置されることになる。本実施形態では、「人物」、「動物」、「料理」の３つのモードがある。なお、アルバムのモードは、例えば、アルバムのテーマと言い換えることができる。例えば、アルバムのモードとして「動物」が選択された場合は、動物を含む画像を優先してテンプレートにレイアウトする。なお、上述の３つ以外のオブジェクトが写りこんでいる画像を表わす画像データを優先してテンプレートにレイアウトするためのモードがあっても良い。また、同時に複数のモードが選択されても良い。その場合、選択された複数のモードに対応する複数のオブジェクトの少なくとも１つを含む画像を優先してテンプレートにレイアウトする。そして、選択されたアイコンに対応するモードが、作成対象のアルバムのモードとして設定される。
【００４７】
なお、アルバムのモードは上述の３つに限定されず、例えば、「建物」、「乗り物」、「花」等、他のモードがあっても良い。
【００４８】
チェックボックス３０８は、ユーザからの画像補正のＯＮ／ＯＦＦの設定を受け付ける。ＯＫボタン３０９は、設定が完了したことをユーザから受け付けるためのボタンである。ＯＫボタン３０９がユーザによって押下されると、アルバム作成条件指定部２０１は、自動レイアウト処理部２１９に、画面３０１上で設定されている各設定情報を、各設定情報に対応する各モジュールに出力する。
【００４９】
リセットボタン３１０は、ＵＩ構成画面３０１上の各設定情報をリセットするためのボタンである。
【００５０】
なお、ＵＩ構成画面３０１上では、上述した設定以外の設定を実行可能であっても良い。例えば、動画に関する設定や、画像・動画データの取得先の設定等を実行可能であっても良い。また、例えば、テンプレートに配置される画像の数の設定等を実行可能であっても良い。
【００５１】
サーバ名ボックスは、アルバム作成に利用される画像群を含むサーバ名やＳＮＳ名を示す。ログイン画面を介したユーザの操作により、指定されたサーバやＳＮＳへのログインが完了すると、ＣＰＵ１０１は、指定されたサーバやＳＮＳからの画像データの取得が可能となる。
【００５２】
動画使用チェックボックスは、パスボックス３０２に指定のフォルダや、サーバ名ボックスに指定のサーバやＳＮＳ上にある動画をアルバム作成に利用するか否かの設定をユーザから受け付ける。
【００５３】
対象期間ボックスは、アルバム作成の対象となる画像群や動画群の撮影日時期間の条件の設定をユーザから受け付ける。
【００５４】
図４は、本実施形態に係るアルバム作成アプリにより実行される自動レイアウト処理を示すフローチャートである。図４に示すフローチャートは、例えば、ＣＰＵ１０１がＨＤＤ１０４に格納されたアルバム作成アプリに対応するプログラムをＲＯＭ１０２やＲＡＭ１０３に読み出して実行することにより実現される。図４を参照しながら、自動レイアウトの処理を説明する。以下に示す通り、本実施形態では、アルバムを作成する際に、アルバムを作成するための画像群を撮影時間に応じて分割し、分割して得られた各サブ画像群からページに配置する画像を選択する。
【００５５】
まず、Ｓ４０１では、ＣＰＵ１０１は、アルバム作成条件を設定する。具体的には例えば、図３に示す画面を介して、ユーザからアルバム作成条件の設定を受け付ける。
【００５６】
Ｓ４０２では、ＣＰＵ１０１は、動画取得部２０２によって、検索対象の記憶領域に含まれる動画データを取得する。
【００５７】
Ｓ４０３では、ＣＰＵ１０１は、動画解析部２０３によって、Ｓ４０２で取得した動画データの解析を行う。
【００５８】
Ｓ４０４では、ＣＰＵ１０１は、フレーム取得部２０４によって、Ｓ４０３で解析した動画データからフレームを切り出して、切り出したフレームを画像データとしてＨＤＤ１０４に保存する。
【００５９】
Ｓ４０５では、ＣＰＵ１０１は、検索対象の記憶領域に含まれる動画データ全てに対して、Ｓ４０２〜Ｓ４０４の処理が終了したか否かを判定する。終了していない場合（Ｓ４０５でＮｏ）、Ｓ４０２に戻り、まだ処理の対象となっていない動画データが取得される。終了している場合（Ｓ４０５でＹｅｓ）はＳ４０６に移行する。
【００６０】
Ｓ４０６では、ＣＰＵ１０１は、画像取得部２０５により、検索対象の記憶領域に含まれる画像データを取得する。
【００６１】
Ｓ４０７では、ＣＰＵ１０１は、画像変換部２０６によって画像データの変換を行う。
【００６２】
Ｓ４０８では、ＣＰＵ１０１は、画像解析部２０７によって、Ｓ４０７で変換済みの画像データから特徴量を取得する。
【００６３】
Ｓ４０９では、ＣＰＵ１０１は、画像解析部２０７によって、Ｓ４０７で変換された画像データに対してオブジェクト検出処理を実行する。まず、ＣＰＵ１０１は、Ｓ４０７で変換された画像データが表す画像から人物の顔を検出する。また、ＣＰＵ１０１は、顔画像を抽出すると共に、検出した顔画像の位置の左上座標値と右下座標値を取得する。この２種類の座標を持つことにより、ＣＰＵ１０１は、顔画像の位置と顔画像のサイズを取得することが可能となる。なお、ＣＰＵ１０１は、Ａｄａｂｏｏｓｔを用いて顔検出の処理を実行することで、検出したオブジェクトの信頼度の情報も取得することができる。信頼度の詳細については後述する。また、Ｓ４０９では、ＣＰＵ１０１は、なお、顔に限らず、犬や猫等の動物、花、料理、建物、置物、乗り物等のオブジェクトを検出対象としてＡｄａｂｏｏｓｔによって強識別器を作成しても良い。これにより、ＣＰＵ１０１は、顔以外のオブジェクトも検出することが可能となる。本実施形態では、Ｓ４０９では、ＣＰＵ１０１は、顔を検出する処理だけでなく、動物と料理を検出する処理を実行する。
【００６４】
Ｓ４１０では、ＣＰＵ１０１は、画像解析部２０７により個人認識処理を実行する。ＣＰＵ１０１は、類似性が閾値以上であり且つ最も類似性が高い代表顔画像に対応する人物を、Ｓ４０９で抽出した顔画像に対応する人物として特定する。なお、ＣＰＵ１０１は、Ｓ４０９で抽出した顔画像と、顔辞書データベースに保存されている全ての代表顔画像との類似性が閾値未満の場合は、抽出した顔画像に新規の個人ＩＤを割り振って、新規の人物として顔辞書データベースに登録する。
【００６５】
Ｓ４０８からＳ４１０で取得された、各画像データの画像解析情報５００は、各画像データを識別するための画像ＩＤ５０１それぞれに紐づけされてＲＡＭ１０３やＨＤＤ１０４等の記憶領域に記憶される。例えば、図５に示すように、Ｓ４０８で取得された撮影日時情報５０２とピント判別結果５０４、Ｓ４０９で検出された顔画像の数５０６と位置情報５０７がテーブル形式で記憶される。
【００６６】
画像属性５０３は、各画像データの属性を表す。例えば、ローカルサーバから取得された静止画データである画像データは、「静止画」の属性となる。また、例えば、ローカルサーバから取得された動画データから切り出されて保存された画像データは、「動画」の属性となる。また、例えば、ＳＮＳサーバから取得された画像データは、「ＳＮＳ」の属性となる。
【００６７】
オブジェクト分類５０５は、各画像データが表す画像に含まれるオブジェクトのカテゴリ（種類）及び、カテゴリの信頼度を示す。
【００６８】
本実施形態では、「人物」、「動物」、「料理」の３カテゴリ（種類）のオブジェクトが検出されるものとし、オブジェクト分類５０５には、各画像データが表す画像において検出されたオブジェクトのカテゴリを示す情報が格納されている。すなわち、オブジェクト分類５０５は、各画像データが表す画像が、いずれのカテゴリのオブジェクトを含むのかを示す情報である。なお、当該情報は、例えばフラグによって管理されていても良い。また、上述したように、検出されるオブジェクトは「人物」、「動物」、「料理」の３カテゴリに限定されないため、オブジェクト分類５０５には例えば、「花」、「建物」、「置物」、「乗り物」等のカテゴリを示す情報が格納されても良い。
【００６９】
カテゴリの信頼度とは、画像データが表す画像に含まれるオブジェクトが、何のカテゴリである可能性が高いかを示す情報であり、信頼度が高いカテゴリほど、画像データが表す画像に含まれるオブジェクトのカテゴリである可能性が高いことになる。
【００７０】
Ｓ４１１では、ＣＰＵ１０１は、検索対象の記憶領域に含まれる画像データ全てに対してＳ４０７からＳ４１０の処理が終了したか否かを判定する。
【００７１】
Ｓ４１２では、ＣＰＵ１０１は、画像分類部２０８によってシーン分割をする。シーン分割とは、Ｓ４０１〜Ｓ４１１にて得られた全画像データを、シーン毎に分割して、複数の画像群として管理することを指す。なお、以下の説明において、全画像データ（メイン画像群）が分割されて得られる各画像群を、サブ画像群と言う。撮像画像データのグループ分けの一例を図６（Ａ）に示す。図６（Ａ）〜（Ｃ）において横軸は撮像日時（左側に向かうほど古く、右側に向かうほど新しい）、縦軸は撮像画像データの数を示す。図６（Ａ）では、撮像画像データ群をグループ６０１〜６０８の８個のサブ画像群（グループ）に分割している。図６（Ａ）において矢印はグループの境界を示している。
【００７２】
Ｓ４１３では、ＣＰＵ１０１は、画像分類部２０８により、シーン分類をする。具体的には、ＣＰＵ１０１は、Ｓ４１２でシーン分割されることで得られたサブ画像群をシーンの種類毎に得点化して、一番得点が高いシーンの種類に、当該サブ画像群を分類する。なお、以下の説明において、Ｓ４１３における得点化をシーン分類得点化という。本実施形態では、シーンの種類として、「旅行」、「日常」、「セレモニー」があるものとし、サブ画像群をこれらのシーンのいずれかに分類する。なお、シーン分類得点化には、シーンの各種類に対応する特徴量の情報が格納されたシーン分類テーブルが利用される。
【００７３】
本実施形態では、シーン分類テーブルとして、図７に示すテーブル７００が利用されるものとする。テーブル７００では、シーンＩＤ７０１に対応付けて、撮影期間７０２、撮影枚数７０３、撮影人数７０４それぞれの平均値と標準偏差とが登録されている。
【００７４】
Ｓ４１４では、ＣＰＵ１０１は、Ｓ４１２で取得された全サブ画像群に対してＳ４１３のシーン分類が終了したか否かを判定する。終了していない場合（Ｓ４１４でＮｏ）、Ｓ４１３に戻り、まだシーン分類の対象となっていないサブ画像群に対してシーン分類を行う。
【００７５】
Ｓ４１５では、ＣＰＵ１０１は、画像得点部２１０によって主人公設定をする。主人公設定はユーザが指定した画像群に対して実行され、自動と手動の２種類の設定方法のうちいずれかにより行われる。
【００７６】
Ｓ４１６では、ＣＰＵ１０１は、画像得点部２１０により、画像得点化をする。Ｓ４１６における画像得点化とは、画像データ毎に後述の観点で評価した得点を付与する（スコアリング）ことであり、後述の、テンプレートに配置する画像を表す画像データの選択時に参照される。ここで、図８及び図１０を用いて、得点化方法について説明する。
【００７７】
図１０は、画像データのレイアウトに使うテンプレート群を示している。テンプレート群に含まれている複数のテンプレートのそれぞれが、各見開きに対応している。テンプレート１００１は、１枚のテンプレートであり、メインスロット１００２はメインスロットを示し、サブスロット１００３と１００４とはサブスロットを示す。メインスロット１００２とは、テンプレート１００１内でメインとなるスロット（画像をレイアウト（配置）する枠）であり、サブスロット１００３と１００４よりもサイズが大きい。Ｓ４１６では、ＣＰＵ１０１は、画像得点化処理として、画像データが属する種類のシーンに対応するメインスロット用の得点とサブスロット用の得点の両方を画像データに付与する処理を行う。
【００７８】
画像得点化においては、メインスロットとサブスロットとに採用されるべき画像の特徴量の情報がシーンの種類毎に格納されたスロット特徴テーブルが利用される。これにより、メインスロット用とサブスロット用の両方に関する得点化が画像データについて実行される。  本実施形態では、更に、ＣＰＵ１０１は、上述のようにして算出された得点に対して、アルバム作成条件指定部２０１で指定されたモードに基づいて、点数を加算する。具体的には例えば、ＣＰＵ１０１は、モード指定部３０７によって指定されたモードと、各画像データのオブジェクト分類結果に応じて点数を加算する。
【００７９】
なお、ＣＰＵ１０１は、画像得点化を、ユーザが指定した画像データ群における各画像データについて行う。画像得点化によって付加された得点が後段のＳ４２３での画像選択処理における選択基準となる。このようにすることで、ＣＰＵ１０１は後述の画像選択処理において、アルバムのモードに対応するカテゴリのオブジェクトが含まれる画像を表わす画像データを、当該オブジェクトが含まれない画像を表わす画像データより優先して選択することができる。
【００８０】
図８（Ｂ）は、レイアウト得点化による得点結果の一例を示している。例えば画像ＩＤ１は、メインスロット用として２０点が付与され、画像ＩＤ２は、メインスロット用として４５点が付与されている。これは、つまり、メインスロット用としては、画像ＩＤ２の方がユーザの判断基準により近いということを表している。
【００８１】
Ｓ４１７では、ＣＰＵ１０１は、画像取得部２０５により取得された全ての画像データに対してＳ４１６の画像得点化が終了したか否かを判定する。終了していない場合（Ｓ４１７でＮｏ）、Ｓ４１６に戻り、まだ処理の対象となっていない画像データに対して画像得点化が実行される。
【００８２】
Ｓ４１８では、ＣＰＵ１０１は、Ｓ４１２のシーン分割により得られたシーン数（サブ画像群の数）が見開き数入力部２１１により入力された見開き数（見開き数ボックス３０５に入力されている見開き数）と同じか否かを判定する。
【００８３】
Ｓ４１９では、ＣＰＵ１０１は、Ｓ４１２のシーン分割により得られたシーン数が見開き数入力部２１１により入力された見開き数より少ないか否かを、見開き割当部２１２により判定する。
【００８４】
Ｓ４２０では、ＣＰＵ１０１は、見開き割当部２１２により、サブシーン分割をする。サブシーン分割とは、シーン分割数＜見開き数の場合に、シーン分割により得られた各シーンを更に細分割することをいう。
【００８５】
Ｓ４２１では、ＣＰＵ１０１は、見開き割当部２１２によりシーン統合をする。シーン統合とは、シーン分割数＞アルバムの見開き数の場合、分割されたシーン（サブ画像群）を統合することを表す。具体的には、ＣＰＵ１０１は、シーン数と見開き数が一致するように、シーン統合をする。ここでは、図６（Ａ）のようにシーン分割数が８であり、それに対して指定見開き数が６の場合を例として説明する。図６（Ｃ）は図６（Ａ）をシーン統合した結果である。破線の箇所の前後のシーンを統合したことで、分割数を６にしている。
【００８６】
Ｓ４２２では、ＣＰＵ１０１は、見開き割当部２１２により見開き割当をする。Ｓ４１８〜Ｓ４２１によって、サブ画像群の数と指定見開き数は同じになっている。本実施形態では、撮影日時が先頭のサブ画像群から見開きの先頭に割り当てる。すなわち、撮影日時順にサブ画像群をアルバムの各見開きのページに割当てる。これにより、撮影日時順にサブ画像群が並んだアルバムを作成することができる。
【００８７】
Ｓ４２３では、ＣＰＵ１０１は、画像選択部２１３により画像選択を実行する。ここでは、ある見開きに割り当てられた分割画像データ群から画像データを４枚選択する例を、図９を参照しながら説明する。なお、見開きとは、２ページ分の領域であるが、最初の見開き及び最後の見開きは、１ページ分の領域となる。
【００８８】
図９（Ａ）は見開きに割り当てられた分割画像データ群のうち、撮影日時が一番早い画像データと一番遅い画像データとの撮影日時の時間差（分割撮影期間）、言い換えれば、分割画像データ群の撮影期間を示している。なお、ここでは、画像データの選択を、メインスロット、サブスロットの順で行う。ここでは、見開きに対応するテンプレートには１枚のメインスロット１００２が含まれるものとする。そのため、１枚目に選択される画像データは、メインスロット用の画像データである。ＣＰＵ１０１は、メインスロット用の画像データとして、図９（Ｂ）に示す分割撮影期間に対応する画像データのうち、Ｓ４１６で付加したメインスロット用の得点が最高点の画像データ（１）を選択する。
【００８９】
２枚目以降に選択される画像データは、サブスロット用の画像データである。２枚目以降の画像データの選択は分割撮影期間の一部に集中しないように、以下説明するような方法により行われる。まず、ＣＰＵ１０１は、図９（Ｃ）に示すように、分割撮影期間を２分割する。次にＣＰＵ１０１は、図９（Ｄ）に示すように、１枚目の画像データが選ばれていない分割撮影期間（図中、実線で示している期間）に生成された画像データから２枚目の画像データを選択する。なお、２枚目の画像データとしては、１枚目の画像データが選ばれていない分割撮影期間に生成された画像データのうちサブスロット用の得点が最高点の画像データ（２）を選択する。次にＣＰＵ１０１は、図９（Ｅ）に示すように図９（Ｄ）に示す各分割撮影期間を２分割する。そして、ＣＰＵ１０１は、図９（Ｆ）に示すように１枚目の画像データと２枚目の画像データがいずれも選ばれていない分割撮影期間（図中、実線で示している期間）に生成された画像データから３枚目の画像データを選択する。なお、３枚目の画像データとしては、１枚目の画像データと２枚目の画像データがいずれも選ばれていない分割撮影期間に生成された画像データのうちサブスロット用の得点が最高点の画像データ（３）を選択する。そして、４枚目の画像データとしては、１枚目、２枚目及び３枚目の画像データがいずれも選ばれていない分割撮影期間に生成された画像データのうちサブスロット用の得点が最高点の画像データを選択する。
【００９０】
次に、１枚目、２枚目及び３枚目の画像データがいずれも選ばれていない分割撮影期間に生成された画像が存在せず、当該分割撮影期間に生成された画像データから４枚目の画像データを選択できない例を説明する。ここで、図９（Ｇ）に示すように、まだ画像データが選ばれていない分割撮影期間（図中、斜線で示している期間）に生成された画像データは存在しないものとする。その場合、ＣＰＵ１０１は、図９（Ｈ）に示すように各分割撮影期間をさらに２分割する。次にＣＰＵ１０１は、図９（Ｉ）に示すように、期間内に生成された画像データがないと認識された分割撮影期間以外で、且つ未だ画像データが選ばれていない分割撮影期間（図中、実線で示している期間）に生成された画像から４枚目の画像データを選択する。なお、ＣＰＵ１０１は、４枚目の画像データとしては、当該分割撮影期間に生成された画像データのうちサブスロット用の最高点の画像データ（４）を選択する。
【００９１】
Ｓ４２４では、ＣＰＵ１０１は、テンプレート設定部２１４により、アルバム作成条件指定部２０１から指定されたテンプレート情報に応じた複数のテンプレートを取得する。
【００９２】
Ｓ４２５では、ＣＰＵ１０１は、画像レイアウト部２１５により、処理対象の見開きの画像レイアウトを決定する。
【００９３】
Ｓ４２６では、ＣＰＵ１０１は、画像補正部２１７により画像補正をする。
【００９４】
Ｓ４２７では、ＣＰＵ１０１は、レイアウト情報出力部２１８によりレイアウト情報を作成する。具体的には、ＣＰＵ１０１は、Ｓ４２５で選択されたテンプレートの各スロットに、Ｓ４２６の画像補正が実行された、各スロットに対応する画像データを紐づけて管理する。なお、ここで用いる画像は、Ｓ４０７で生成した解析画像であり、Ｓ４０８〜１８で用いた画像とは異なる画像である。そして、ＣＰＵ１０１は、テンプレートに画像をレイアウトしたビットマップデータを生成する。このとき、ＣＰＵ１０１は、スロットのサイズ情報に合わせてレイアウトする画像を変倍又は等倍してレイアウトする。
【００９５】
Ｓ４２８はＳ４２３〜Ｓ４２７の処理が全ての見開きに対して終了したか否かを判定する。終了していない場合（Ｓ４２８でＮｏ）はＳ４２３に戻り、未だ処理対象となっていない見開きに対して、Ｓ４２３〜Ｓ４２７の処理を行う。
【００９６】
自動レイアウト処理が終了されると、ＣＰＵ１０１は、作成したレイアウト情報に基づき、テンプレートに画像が配置されたレイアウト画像をディスプレイ１０５に表示する。なお、このとき、ＣＰＵ１０１は、１つのアルバムを作成するための複数のレイアウト画像を表示しても良い。また、ＣＰＵ１０１は、作成したレイアウト情報を画像形成装置２００等のプリンタに送信し、レイアウト画像を印刷しても良い。レイアウト画像が印刷されることにより、アルバムが作成される。
【００９７】
なお、上述の自動レイアウト処理では、アルバム作成アプリによって自動で（ユーザから選択指示を受け付けることなく）テンプレートや画像データが選択されて、レイアウト画像が生成されていた。しかし、レイアウト情報によって表わされる画像は、テンプレート及び画像データによって表わされる画像が含まれるものに限られない。これは、本実施形態ではレイアウト情報は、アルバムを作成するために用いられるものだが、アルバムには例えば、見返しや遊び紙、扉、奥付と呼ばれる、画像データによって表わされる画像が一般に印刷されない領域も含まれるためである。本実施形態ではレイアウト情報は、見返しや遊び紙、扉、奥付に対応する画像をも表わす。これらの画像を表わすためのデータは、上述のような自動レイアウト処理によっては生成されないため、予め見返しや遊び紙、扉、奥付に対応する画像用として作成されたデータが、レイアウト情報にいずれかのタイミングで含まれるものとする。
【００９８】
なお、本実施形態において、自動レイアウト処理の詳細は上述の形態に限定されない。例えば、アルバムに使用されるテンプレートの選択や、テンプレートに配置される画像を表わす画像データの選択の方法は、上述の形態に限定されない。少なくとも、アルバムに使用されるテンプレートの選択や、テンプレートに配置される画像を表わす画像データの選択等をユーザが実行せずに、レイアウト情報が作成される形態であれば良い。
【００９９】
＜アルバムの編集＞
ＣＰＵ１０１は、上述のようにしてレイアウト情報を作成した後、作成したレイアウト情報によって表わされるアルバムの編集を受け付けるための画面を表示する。なお、この画面においては、ユーザは、自動レイアウト処理によって作成されたレイアウト情報によって表わされるアルバムの内容を確認することができる。そのため、以後このような画面を確認画面という。本実施形態では、確認画面には、作成したレイアウト情報によって表わされるアルバムが有する複数の見開きのうち１つが表示され、ユーザ操作に応じて、表示される見開きが切り替えられる。なおこのとき、確認画面には、見開き単位でなく、ページ単位でアルバムが表示されても良い。また、自動レイアウト処理が終了した直後に表示される確認画面において表示される見開きは特に限定されず、例えば、複数の見開きのうち一番初めの見開きであっても良いし、後述の重要度が一番高い見開きであっても良い。本実施形態では、自動レイアウト処理が終了した直後に表示される確認画面において表示される見開きは、複数の見開きのうち一番初めの見開き（見開き名が「表紙」である見開き）であるものとする。
【０１００】
図１３に確認画面の一例を示す。表示領域１３０１は、１つの見開きを表わしている。ここで、１つの見開きとは、アルバムにおいてそれぞれ対向する２ページ分の領域を指す。本実施形態では、１つの見開きに１つのテンプレートが対応しているため、表示領域１３０１には、１つのテンプレートと、それに配置された画像とが表示されることになる。なお、表紙（オモテ表紙）と裏表紙の関係は、上述の見開きの定義に該当しないが、本実施形態では、表示と裏表紙を１つの見開きとみなし、表示領域１３０１は、表紙と裏表紙とを並行して表示する。また、表示領域１３０１は、１つの見開きを表わす形態に限定されず、例えば、１ページを表わす形態であっても良い。また、表示領域１３０１は、１つの見開きを表わす状態と、１ページを表わす状態とを切り替えても良い。この場合例えば、表示領域１３０１は、表紙や裏表紙については、１ページを表わす状態で表示し、本身については、１つの見開きを表わす状態で表示する。
【０１０１】
サムネイル領域１３０２は、アルバムの各見開きに対応するサムネイルを一覧で表示する領域である。ユーザによって、サムネイルが選択された場合、選択されたサムネイルに対応する見開きが、表示領域１３０１に表示される。すなわち、ユーザは、サムネイルを選択することによって、選択したサムネイルに対応する見開きを閲覧することができる。
【０１０２】
また、アイコン１３０３は、サムネイルに対応する見開きが未閲覧であることを示すアイコンである。各アイコンは、図１２のデータ構造に含まれる閲覧状態の情報に基づいて表示される。具体的には、図１２のデータ構造において閲覧状態が未閲覧となっている見開きに対応するサムネイルに、アイコンが表示される。このように、本実施形態の画像処理装置１００は、未だユーザによって閲覧されていない見開きに対応するサムネイルにアイコンを付加することで、未だユーザによって閲覧されていない見開きの確認を促すことができる。なお、既にユーザによって閲覧されている見開き（閲覧済みの見開き）については、ユーザに確認を促す必要はないため、アイコンは表示されない。
【０１０３】
見開き送りボタン１３０４、１３０５は、表示領域１３０１に表示されている見開きを切り替えるためのボタンである。見開き送りボタン１３０４が押下された場合、そのときに表示領域１３０１に表示されていた見開きの前の見開きが表示される。また、見開き送りボタン１３０５が押下された場合、そのときに表示領域１３０１に表示されていた見開きの後ろの見開きが表示される。このように、サムネイル領域１３０２上のサムネイルを選択する方法でなく、これらのボタンを操作することでも、ユーザは、表示領域１３０１に表示される見開きを切り替えることが可能である。
【０１０４】
アルバム編集ボタン１３０６は、アルバム全体に関する設定を変更するためのボタンである。具体的にはたとえば、アルバム編集ボタン１３０６は、アルバム全体の背景色や、アルバム全体で使用されるフォント等を変更するためのボタンである。また、例えば、アルバムのテーマや主人公、指定オブジェクトが含まれる画像がアルバムに採用される割合等を変更して、自動レイアウトを再度実行するためのボタンである。なお、アルバム全体とは、アルバムに含まれる全ての見開きやページを指す。すなわち、ユーザは、アルバム編集ボタン１３０６を押下することでアルバム全体に関する編集・変更を一括で行うことができる。アルバム全体に関する編集・変更は、確認画面上の不図示の入力領域にて入力された情報に基づいて行われる。例えば、不図示の入力領域において背景色の変更が指定されてアルバム編集ボタン１３０６が押下された場合、アルバム編集アプリは、アルバム全体の背景色を変更する。なお、アルバム編集ボタン１３０６が押下された場合に、アルバム全体に関する設定を変更するための変更画面が確認画面上に表示され、表示された画面に対する入力によって、アルバム全体が編集・変更される形態であっても良い。また、アルバム編集ボタン１３０６によって必ずしもアルバムに含まれる全ての見開きやページに関する設定変更が行われなくとも良く、少なくとも１以上の見開きやページに関する設定変更が行われれば良い。
【０１０５】
見開き編集ボタン１３０７は、表示領域１３０１に表示されている見開きに関する設定を変更するためのボタンである。具体的にはたとえば、見開き編集ボタン１３０７は、見開きに対応するテンプレートや、見開きに含まれる画像、見開きの重要度の変更や、テキストを追加・入力するためのボタンである。表示領域１３０１に表示されている見開きに関する設定の変更は、確認画面上の不図示の入力領域にて入力された情報に基づいて行われる。例えば、不図示の入力領域において背景色の変更が指定されて見開き編集ボタン１３０７が押下された場合、アルバム編集アプリは、表示領域１３０１に表示されている見開きの背景色を変更する。なお、見開き編集ボタン１３０７が押下された場合に、表示領域１３０１に表示されている見開きに関する設定を変更するための変更画面が確認画面上に表示され、表示された画面に対する入力によって、見開きが編集・変更される形態であっても良い。また、表示領域１３０１に表示されている見開きに関する設定変更は、例えば、表示領域１３０１上に表示されている見開きを直接操作することでも実行可能である。
【０１０６】
アルバム注文ボタン１３０８は、アルバムを注文するためのボタンである。アルバム注文ボタン１３０８が押下された場合、このときの設定のレイアウト情報が外部サーバ４００に送信され、当該レイアウト情報に基づいてアルバムが作成されることになる。
【０１０７】
上述したように、アルバムは、自動レイアウト処理によって作成されたレイアウト情報に基づいて作成される。ユーザは、確認画面によってアルバムの内容を確認し、ユーザ満足度の低い見開きがあれば、見開き編集ボタン１３０７を押下することで当該見開きの内容を適宜編集・変更することができる。また、ユーザは、アルバム編集ボタン１３０６を押下することでアルバム全体に関する編集・変更を一括で行うこともできる。
【０１０８】
しかしながら例えば、ユーザは、アルバムの内容を全て確認せずにアルバム注文ボタン１３０８を押してアルバムの注文を指示することがある。この場合、例えば、アルバムの中にユーザ満足度が低い見開きがあっても、それが編集・変更されずにアルバムが注文されて、ユーザ満足度が低いアルバムが出力結果として得られてしまうという課題がある。
【０１０９】
また例えば、一旦ユーザによって見開きが確認されていたとしても、その後にアルバム全体に関する編集・変更が行われる場合がある。そのような場合、アルバムの内容はユーザが確認した内容と異なるため、アルバム全体に関する編集・変更が行われた後にもユーザによる見開きの確認が行われなければ、ユーザ満足度が低い見開きを有するアルバムが注文されてしまうことがある。
【０１１０】
そのため、例えば、ユーザによって閲覧されていない見開き（未閲覧の見開き）がある状態でユーザからアルバムの注文が指示された場合、アルバムの注文指示を受け付けないためのエラー処理を実行する形態がある。また、例えば、未閲覧の見開きがある状態でユーザからアルバムの注文が指示された場合、この状態でアルバムの注文を実行して良いかどうかをユーザに問うための警告処理を実行する形態がある。
【０１１１】
しかしながら、未閲覧の見開きの内容を考慮せずに上記のエラー処理や警告処理が実行される形態では、ユーザの確認を必要としないような見開きが未閲覧である場合もエラー処理や警告処理が実行され、ユーザに煩雑な操作が要求されてしまう課題がある。
【０１１２】
そこで、本実施形態では、未閲覧の見開きの内容を考慮して、上記のエラー処理や警告処理を実行するか否かを切り替える形態について説明する。
【０１１３】
まず、作成したレイアウト情報によって表わされるアルバムが有する各見開き又はページの閲覧状態を管理するためのデータ（以後、閲覧状態管理データという）の一例を、図１２に示す。なお、図１２は、自動レイアウト処理が終了した直後に確認画面が表示されたタイミングにおける閲覧状態管理データを示している。閲覧状態管理データにおいて、本実施形態では、ページ毎に管理されている部位と、見開き毎に管理されている部位とがあるが、全てページ毎に管理されたり、全て見開き毎に管理される形態であっても良い。
【０１１４】
閲覧状態管理データにおいて、「名前」は、各見開きや各ページの名前を示す。なお、アルバムにおけるそれぞれの名前の部位は、図２５に示すとおりである。名前が「〜頁」の見開きは、アルバムの本身に対応している。
【０１１５】
また、閲覧状態管理データにおいて、「重要度」は、各見開きや各ページの重要度を示す。ここで重要度とは、アルバム作成アプリのベンダーによって予め設定された設定値である。重要度が高い見開きやページほど、自動レイアウト処理後にユーザに確認（閲覧）されるべき見開きやページであることが示される。また、重要度が低い見開きやページほど、自動レイアウト処理後にユーザに確認（閲覧）されなくても良い見開きやページであることが示される。なお、各見開きや各ページの重要度が、ユーザによって設定される形態であったり、ベンダーによって予め設定された各見開きや各ページの重要度がユーザによって変更可能な形態であったりしても良い。
【０１１６】
また、閲覧状態管理データにおいて、「閲覧状態」は、各見開きや各ページがユーザによって閲覧されたか否かを示す。
【０１１７】
「閲覧状態」が「未閲覧」である見開きやページは、自動レイアウト処理が行われた後に、ユーザによって確認・閲覧が行われていないことが示される。又は、「閲覧状態」が「未閲覧」である見開きやページは、アルバム全体に関する編集・変更が行われた後に、ユーザによって確認・閲覧が行われていないことが示される。言いかえれば、「閲覧状態」が「未閲覧」である見開きやページは、レイアウト情報が生成又は変更された後の現在の当該見開きや当該ページの内容が、ユーザによって確認・閲覧が行われていないことが示される。一方、「閲覧状態」が「閲覧済み」である見開きやページは、自動レイアウト処理が行われた後に、ユーザによって確認・閲覧が行われたことが示される。又は、「閲覧状態」が「閲覧済み」である見開きやページは、アルバム全体に関する編集・変更が行われた後に、ユーザによって確認・閲覧が行われたことが示される。言いかえれば、「閲覧状態」が「閲覧済み」である見開きやページは、レイアウト情報が生成又は変更された後の現在の当該見開きや当該ページの内容が、ユーザによって確認・閲覧が行われたことが示される。
【０１１８】
なお、本実施形態においてある見開きやページが閲覧されることとは、当該ある見開きやページが表示領域１３０１に表示されることを指す。そのため例えば、表示領域１３０１に表示されていないが、サムネイル領域１３０２に表示されている見開きやページは、閲覧されていないものとみなされる。
【０１１９】
本実施形態では、名前が「表紙」、「〜頁」、「裏表紙」である見開きやページの重要度が「２」に設定されている。名前が「表紙」、「〜頁」、「裏表紙」である見開きやページは、テンプレートに自動選択画像（配置画像）が配置されることで作成される見開きやページであり、アルバムのメインコンテンツである。なお、自動選択画像とは、例えば図３に示すような設定画面に対して入力された設定情報の内容に応じて異なる画像であり、ユーザの選択指示を受け付けることなく、アルバム作成アプリによって自動で選択される画像データによって表わされる画像である。すなわち、本実施形態では、図３に示すような設定画面に対して入力された設定情報の内容に基づかずに配置される画像は、自動選択画像には含まれないものとする。
【０１２０】
上述のように、これらの見開きやページはアルバムのメインコンテンツを含むため、アルバム作成用アプリの自動レイアウト処理やアルバム全体に関する設定変更によってユーザが所望する内容になっているかどうかを、ユーザに確認してもらうことが好ましい。よって、本実施形態では、これらの見開きやページの重要度が最大値である「２」に設定されている。なお、名前が「表紙」、「〜頁」、「裏表紙」である見開きやページには、テキストが含まれるものも含まれないものもある。テキストが含まれるか否かに応じて、名前が「表紙」、「〜頁」、「裏表紙」である見開きやページの重要度がさらに詳細に設定されても良い。
【０１２１】
また、本実施形態では、名前が「扉」、「奥付」である見開きやページの重要度が「１」に設定されている。これらの見開きやページは、自動選択画像は配置されないが、例えば、アルバムのタイトルや編集後記、アルバムの作成日時等のテキストが配置されることがあるテキスト画像である。これらの見開きやページの内容は、アルバム全体としての完成度に大きくは影響しないため、これらの見開きやページの内容を気にするユーザと、気にしないユーザとが存在することが考えられる。そのため、本実施形態では、これらの見開きやページの重要度が中間値である「１」に設定されている。
【０１２２】
また、本実施形態では、名前が「見返し１」、「遊び紙１（表）」、「遊び紙１（裏）」、「遊び紙２（表）」「遊び紙２（裏）」、「見返し２」である見開きやページの重要度が「０」に設定されている。これらの見開きやページは、基本的には自動選択画像やテキストが配置されない非レイアウト画像である。そのため、これらの見開きやページについてユーザが編集可能な要素はなく、自動レイアウト処理後にこれらの見開きやページの内容をユーザが確認する必要は特にない。よって、本実施形態では、これらの見開きやページの重要度が最低値である「０」に設定されている。
【０１２３】
なお、各見開きやページに設定される重要度は上述の形態に限定されない。例えば、本実施形態では、名前が「扉」、「奥付」であるページの重要度が中間値である「１」に設定されているが、中間値以外の重要度が設定されても良い。例えば、扉や奥付にも自動選択画像を配置可能な形態であったり、自動選択画像を配置可能な形態でなくとも扉や奥付の内容を気にするユーザが多いような環境であったりすれば、名前が「扉」、「奥付」であるページの重要度を最大値に設定しても良い。また、テキストの内容を気にするユーザが少ない環境であれば、名前が「扉」、「奥付」であるページの重要度を最小値に設定しても良い。
【０１２４】
また、上述では、画像が配置される見開きやページに高い重要度を設定し、画像が配置されない見開きやページに低い重要度を設定していた。しかし、画像の有無に基づいて重要度を設定するのではなく、図３に示すような設定画面に対して入力された設定情報の内容に応じて異なるコンテンツ（画像・テキスト等）の有無に基づいて重要度が設定されても良い。そのため、例えば、自動選択画像が配置される見開きやページに高い重要度を設定し、自動選択画像でない画像は配置されるが、自動選択画像は配置されない見開きやページに低い重要度を設定しても良い。また例えば、自動選択画像は配置されないが、図３の画面に対して入力された設定情報の内容に応じて異なるテキストを含む見開きやページが有れば、当該見開きやページの重要度に高い重要度を設定しても良い。
【０１２５】
上述を踏まえ、未閲覧の見開きやページがある状態でアルバムの注文のための入力をユーザから受け付けた場合に、上述の重要度に応じて、処理を切り替える形態について説明する。
【０１２６】
図１１は、本実施形態に係る画像処理装置１００が実行する処理を示すフローチャートである。本フローチャートでは、レイアウト情報の作成処理から、レイアウト情報に基づくアルバムの発注処理までの一連の処理について説明する。図１１に示すフローチャートは、例えば、ＣＰＵ１０１がＨＤＤ１０４に格納されたアルバム作成アプリに対応するプログラムをＲＯＭ１０２やＲＡＭ１０３に読み出して実行することにより実現される。
【０１２７】
Ｓ１１０１で、ＣＰＵ１０１は、自動レイアウト処理によってレイアウト情報を生成する。レイアウト情報の生成方法は、図４のフローチャートで示した通りである。ＣＰＵ１０１は、レイアウト情報を生成した後、図１３に示すような確認画面を表示する。上述したように確認画面とは、生成したレイアウト情報に基づくアルバムの内容をユーザに確認させるための画面である。このとき、確認画面には、名前が「表紙」と「裏表紙」であるページを含む見開きが表示されるため、閲覧状態管理データは図１２のようになっている。
【０１２８】
続いてＳ１１０２で、ＣＰＵ１０１は、図１３に示す確認画面において、ユーザ操作を受け付ける。そして、ＣＰＵ１０１は、受け付けたユーザ操作の内容を特定し、特定した内容に応じて、次の処理に進む。具体的には、ＣＰＵ１０１は、サムネイル領域１３０２上のサムネイルが選択されたり、見開き送りボタン１３０４、１３０５が押下された場合は、Ｓ１１０３に進む。また、ＣＰＵ１０１は、アルバム編集ボタン１３０６が押下された場合は、Ｓ１１０４に進み、見開き編集ボタン１３０７が押下された場合は、Ｓ１１０５に進む。また、ＣＰＵ１０１は、アルバム注文ボタン１３０８が押下された場合は、Ｓ１１０６に進む。
【０１２９】
Ｓ１１０３では、ＣＰＵ１０１は、表示領域１３０１に表示されている見開きを、ユーザから受け付けた操作に応じた見開きに切り替える。このとき、ＣＰＵ１０１は、ユーザから受け付けた操作に応じて、閲覧状態管理データを更新する。具体的にはＣＰＵ１０１は、ユーザから受け付けた操作に応じた見開きやページの閲覧状態に関する項目を、閲覧済みを示す情報に更新する。例えば、レイアウト情報の自動生成直後に、１−２頁に対応する見開きを表示するための操作をユーザから受け付けた場合、ＣＰＵ１０１は、閲覧状態管理データを、図１２に示すデータから図１４に示すデータに更新する。その後、ＣＰＵ１０１は、Ｓ１１０２に戻る。
【０１３０】
Ｓ１１０４では、ＣＰＵ１０１は、受け付けた入力に応じて、アルバム全体に関する設定を変更する。また、ＣＰＵ１０１は、受け付けた入力に応じて、Ｓ１１０１で生成したレイアウト情報の内容を適宜編集・変更する。なお、設定変更は表示領域１３０１に見開きが表示されたまま行われるが、このときユーザは、表示領域１３０１に表示されている見開きに関する設定変更の結果しか確認することができない。そのため、ＣＰＵ１０１は、アルバム全体に関する設定を変更した場合、閲覧状態管理データを更新する。具体的には、ＣＰＵ１０１は、アルバム全体に関する設定が変更された時に表示領域１３０１に表示されている見開き以外の全ての見開きやページに対応する「閲覧状態」に関する項目を、「未閲覧」に切り替える。そして、ＣＰＵ１０１は、Ｓ１１０２に戻る。なお、アルバム編集ボタン１３０６が押下された場合に、アルバム全体に関する設定を変更するための変更画面が確認画面上に表示される形態であれば、変更画面に対する入力が行われた場合にＳ１１０４の処理が行われる。
【０１３１】
Ｓ１１０５では、ＣＰＵ１０１は、受け付けた入力に応じて、表示領域１３０１に表示されている見開きに関する設定を変更する。ＣＰＵ１０１は、見開き設定画面に対する入力をユーザから受け付けることで、表示領域１３０１に表示されている見開きに関する設定を変更する。また、ＣＰＵ１０１は、受け付けた入力に応じて、Ｓ１１０１で生成したレイアウト情報の内容を適宜編集・変更する。そして、ＣＰＵ１０１は、Ｓ１１０２に戻る。なおこのとき、ＣＰＵ１０１は、ユーザから受け付けた入力に応じて見開きの重要度を変更しても良い。例えば、ＣＰＵ１０１は、画像が配置されていない見開き（例えば、扉や奥付のページを含む見開き）に、ユーザから受け付けた入力によって画像が配置された場合、画像が配置された見開きの重要度を最大値に設定しても良い。また、例えば、ＣＰＵ１０１は、画像もテキストも配置されていない見開き（例えば、見返しや遊び紙のページを含む見開き）に、ユーザから受け付けた入力によってテキストが配置された場合、画像が配置された見開きの重要度を中間値に設定しても良い。また、例えば、ＣＰＵ１０１は、画像が配置されていた見開き（例えば、本身のページを含む見開き）から、ユーザから受け付けた入力によって全ての画像が取り除かれた場合、画像が取り除かれた見開きの重要度を中間値や最低値に設定しても良い。なお、設定変更は表示領域１３０１に見開きが表示されたまま行われるため、このときの設定変更の結果は、ユーザが閲覧することになる。そのため、閲覧状態管理データの更新は特に行われない。なお、見開き編集ボタン１３０７が押下された場合に、表示領域１３０１に表示されている見開きに関する設定を変更するための変更画面が確認画面上に表示される形態であれば、変更画面に対する入力が行われた場合にＳ１１０３の処理が行われる。
【０１３２】
Ｓ１１０６で、ＣＰＵ１０１は、注文前の確認処理を行う。具体的にはこのとき、ＣＰＵ１０１は、例えば、解像度が低く印刷できない画像を表わす画像データがレイアウト情報に含まれていないことを確認する。また、ＣＰＵ１０１は、例えば、画像が配置されていないスロットを含むテンプレートによって構成される見開きが無いことを確認する。解像度が低く印刷できない画像を表わす画像データがレイアウト情報に含まれていたり、画像が配置されていないスロットを含むテンプレートによって構成される見開きがある場合には、ＣＰＵ１０１は、Ｓ１１０２に戻っても良い。またこのときＣＰＵ１０１は、解像度が低く印刷できない画像を表わす画像データがレイアウト情報に含まれていたり、画像が配置されていないスロットを含むテンプレートによって構成される見開きがあることを示す画面をディスプレイ１０５に表示しても良い。
【０１３３】
Ｓ１１０７で、ＣＰＵ１０１は、注文対象のアルバムが有する複数の見開きやページ内に、未閲覧の見開きやページが１つでもあるか否かを、閲覧状態管理データに基づいて判定する。ＣＰＵ１０１は、閲覧状態管理データが図１２や図１４に示すようなデータ構造であり、未閲覧の見開きやページがあると判定した場合、Ｓ１１０８に進む。一方ＣＰＵ１０１は、閲覧状態管理データが図１５に示すようなデータ構造であり、未閲覧の見開きやページが１つもないと判定した場合、Ｓ１１１２に進む。
【０１３４】
Ｓ１１０８で、ＣＰＵ１０１は、未閲覧の見開きやページの重要度のうち最大の重要度がいずれかを特定する。例えば、閲覧状態管理データが図１４に示すようなデータ構造である場合、最大の重要度は、２となる。ＣＰＵ１０１は、最大の重要度が０であると判定した場合（重要度が１及び２の見開きやページが閲覧されており、重要度が０の見開きやページが閲覧されていない場合）、後述のエラー処理や警告表示処理を行わずに、Ｓ１１１２の注文処理に進む。すなわちＣＰＵ１０１は、名前が「見返し１」、「遊び紙１（表）」、「遊び紙１（裏）」、「遊び紙２（表）」「遊び紙２（裏）」、「見返し２」であるページのみ未閲覧である場合は、後述のエラー処理や警告表示処理を行わずにＳ１１１２の注文処理に進む。このような形態とすることで、重要度が低く、ユーザによる確認が無くとも良い見開きやページのみが未閲覧である場合は、未閲覧の見開きやページの確認を省略させユーザビリティを向上させることができることができる。また、ＣＰＵ１０１は、最大の重要度が１であると判定した場合、重要度が１未満の見開きやページが未閲覧であるか否かにかかわらず、Ｓ１１１０の警告表示処理に進む。最大の重要度が１であると判定した場合とはすなわち、重要度が２の見開きやページが閲覧されており、重要度が１の見開きやページが閲覧されていない場合である。また、ＣＰＵ１０１は、最大の重要度が２であると判定した場合（重要度が２の見開きやページが閲覧されていない場合）、重要度が２未満の見開きやページが未閲覧であるか否かにかかわらず、Ｓ１１０９のエラー処理に進む。
【０１３５】
Ｓ１１０９で、ＣＰＵ１０１は、エラー処理を実行する。具体的にはＣＰＵ１０１は、例えば、図１６に示すようなエラー画面を表示する。エラー画面は、例えば、未閲覧の見開きやページがあることを示すメッセージを含む。そして、ＣＰＵ１０１は、エラー画面におけるＯＫボタンが押下されたら、Ｓ１１０２に戻る。すなわち、ＣＰＵ１０１は、重要度が２の見開きやページが閲覧済みとなるまで注文処理には進まず、再度確認画面を表示する。なおこのとき、ＣＰＵ１０１は、エラー画面におけるＯＫボタンが押下されたら、ディスプレイ１０５に表示されている画面を、未閲覧の見開きやページを表示している表示領域１３０１を含む確認画面に切り替えても良い。また、ＣＰＵ１０１は、未閲覧の見開きやページが複数ある場合は、例えば、未閲覧の見開きやページのうち一番初めの見開きやページを表示している表示領域１３０１を含む確認画面に切り替えても良い。また、ＣＰＵ１０１は、未閲覧の見開きやページのうち一番重要度が高い見開きやページを表示している表示領域１３０１を含む確認画面に切り替えても良い。また、ＣＰＵ１０１は、未閲覧の見開きやページのうちいずれかをユーザに選択させ、選択された見開きやページを表示している表示領域１３０１を含む確認画面に切り替えても良い。
【０１３６】
Ｓ１１０９は、未閲覧の見開きやページの重要度のうち最大の重要度が「２」である場合に実行される処理である。上述のように、ユーザの確認が行われることが好ましく重要度が高い見開きやページが閲覧済みとなるまで注文処理が行われない形態とすることで、ユーザの確認が行われないままユーザの満足度が低いアルバムの注文が行われてしまうことを抑制できる。
【０１３７】
Ｓ１１１０で、ＣＰＵ１０１は、警告表示処理を実行する。具体的にはＣＰＵ１０１は、例えば、図１７に示すような警告画面を表示する。警告画面は、例えば、未閲覧の見開きやページがある状態で、アルバムの注文を実行してよいか否かを示す入力をユーザから受け付けるための領域を含む。また、警告画面は例えば、未閲覧の見開きやページがあることを示すメッセージや、ディスプレイ１０５に表示されている画面を、未閲覧の見開きやページを表示している表示領域１３０１を含む確認画面に切り替えることを通知するためのメッセージを含む。
【０１３８】
次に、Ｓ１１１１で、ＣＰＵ１０１は、アルバムの注文を実行することを示す入力をユーザから受け付けたか否かを判定する。ＣＰＵ１０１は、警告画面におけるＯＫボタンが押下されたら、アルバムの注文を実行することを示す入力をユーザから受け付けたとみなし、Ｓ１１１２の注文処理に進む。一方、ＣＰＵ１０１は、警告画面におけるＣａｎｃｅｌボタンが押下されたら、アルバムの注文を実行することを示さない入力をユーザから受け付けたとみなし、Ｓ１１１２の注文処理に進まず、Ｓ１１０２に戻る。なおこのとき、ＣＰＵ１０１は、警告画面におけるＣａｎｃｅｌボタンが押下されたら、ディスプレイ１０５に表示されている画面を、未閲覧の見開きやページを表示している表示領域１３０１を含む確認画面に切り替えても良い。また、ＣＰＵ１０１は、未閲覧の見開きやページが複数ある場合は、例えば、未閲覧の見開きやページのうち一番初めの見開きを表示している表示領域１３０１を含む確認画面に切り替えても良い。また、ＣＰＵ１０１は、未閲覧の見開きやページのうち一番重要度が高い見開きやページを表示している表示領域１３０１を含む確認画面に切り替えても良い。また、ＣＰＵ１０１は、未閲覧の見開きやページのうちいずれかをユーザに選択させ、選択された見開きやページを表示している表示領域１３０１を含む確認画面に切り替えても良い。
【０１３９】
このように、ＣＰＵ１０１は、未閲覧の見開きやページの重要度のうち最大の重要度が１である場合は、アルバムの注文処理に直接進まず、アルバムの注文を実行するか否かをユーザに確認する。そして、ＣＰＵ１０１は、アルバムの注文を実行することが確認された場合にアルバムの注文処理に進み、アルバムの注文を実行することが確認されなかった場合には、見開きやページを閲覧するための画面（確認画面）を表示する。なお、上述したように重要度が１である見開きやページは画像が配置されない見開きやページであり、このような見開きやページの内容を気にするユーザと、気にしないユーザとが存在することが考えられる。そのため、本実施形態では、ＣＰＵ１０１が、上述のようにアルバムの注文を実行するか否かをユーザに確認し、確認結果に応じた処理を実行することで、ユーザが所望の処理を選択できるようになる。
【０１４０】
Ｓ１１１２では、ＣＰＵ１０１は、注文処理を実行する。具体的にはＣＰＵ１０１は、生成したレイアウト情報を、ネットワーク３００を介し、外部サーバ４００に送信する。なお、このとき送信されるレイアウト情報は、Ｓ１１０４やＳ１１０５で編集済みであっても良い。なお、このとき送信されるレイアウト情報は、アルバムに使用されるテンプレートに関する情報や、テンプレートに配置される画像を表わす画像データ等を含む。レイアウト情報が外部サーバ４００に送信された場合、外部サーバ４００に接続された画像形成装置５００により当該レイアウト情報に基づく印刷が行われることで、アルバムが作成される。
【０１４１】
このように、アルバムに含まれる各見開きや各ページに重要度を設定し、ユーザからアルバムの注文の指示を受け付けた場合には、未閲覧の見開きやページに設定された重要度に応じて処理を切り替えることで、ユーザの利便性を向上させることができる。具体的には、未閲覧の見開きやページに設定された重要度が高い場合にはエラー処理や警告表示処理を実行することで、ユーザによるアルバム内容の確認が行われずにユーザ満足度が低いアルバムが注文されてしまうことを抑制することができる。また、未閲覧の見開きやページに設定された重要度が低い場合にはエラー処理や警告表示処理を実行しないことで、ユーザによるアルバム内容の確認を省略することができる。
【０１４２】
（第２実施形態）
１つのアルバムを複数のユーザが共同で編集可能な形態において、アルバムの注文の指示が行われた場合の処理を各ユーザの閲覧状態を考慮して実行する形態について説明する。
【０１４３】
図１８に、本実施形態の印刷システムを示す。本実施形態における印刷システムにおいて、画像処理装置１００、画像形成装置２００、ネットワーク３００、外部サーバ４００及び画像形成装置５００は、第１実施形態にて説明したものと同様である。画像処理装置１００は、ユーザＡが操作する装置であるものとする。画像処理装置６００は、画像処理装置１００と同様の構成の装置である。画像処理装置６００は、ユーザＢが操作する装置であるものとする。画像形成装置７００は、画像形成装置２００と同様の構成の装置であり、画像処理装置６００に接続されている。ネットワークストレージ８００は、画像処理装置１００及び画像処理装置６００からのアクセスを、ネットワーク３００を介して受け付け可能なストレージである。画像処理装置１００及び画像処理装置６００は、アルバム作成アプリによる自動レイアウト処理やアルバムの編集処理に必要なデータを、ネットワークストレージ８００にアップロードしたり、ネットワークストレージ８００からダウンロードしたりする。
【０１４４】
なお、ここでは、複数のユーザが、複数の画像処理装置を利用してアルバムの編集を行う形態を説明するが、この形態に限定されず、例えば、複数のユーザが１つの画像処理装置を利用してアルバムの編集を行う形態であってもいい。
【０１４５】
図１９は、本実施形態に係る画像処理装置１００が実行する処理を示すフローチャートである。本フローチャートでは、レイアウト情報の作成処理から、レイアウト情報をネットワークストレージ８００にアップロードする処理までの一連の処理について説明する。図１９に示すフローチャートは、例えば、ＣＰＵ１０１がＨＤＤ１０４に格納されたアルバム作成アプリに対応するプログラムをＲＯＭ１０２やＲＡＭ１０３に読み出して実行することにより実現される。
【０１４６】
Ｓ１９０１で、ＣＰＵ１０１は、ユーザＡからの操作を受け付け、自動レイアウト処理によってレイアウト情報を生成する。レイアウト情報の生成方法は、第１実施形態にて、図４のフローチャートで示した通りである。
【０１４７】
Ｓ１９０２で、ＣＰＵ１０１は、Ｓ１９０１で生成したレイアウト情報を、ユーザＡからの操作を受け付けて、ネットワークストレージ８００にアップロードする。本処理により、ユーザＢは、画像処理装置６００を用いて、ネットワークストレージ８００からレイアウト情報をダウンロードし、ユーザＡにより生成されたレイアウト情報に基づくアルバムを閲覧・編集することが可能となる。なお、ＣＰＵ１０１は、Ｓ１９０１で生成したレイアウト情報を、ユーザＡからの操作を受け付けずに自動でネットワークストレージ８００にアップロードしても良い。また、ここでは、ユーザＡが画像処理装置１００によってレイアウト情報を生成及びアップロードしていたが、ユーザＢが画像処理装置６００によってレイアウト情報を生成及びアップロードしても良い。
【０１４８】
Ｓ１９０３で、ＣＰＵ１０１は、Ｓ１９０１で生成したレイアウト情報を編集・変更可能なユーザ（共同編集者）を設定するための処理を行う。具体的には、例えば、ＣＰＵ１０１は、Ｅ−ｍａｉｌやチャットシステム等で、共同編集者として設定したいユーザに、Ｓ１９０１で生成したレイアウト情報を編集・変更するために利用されるＵＲＬを送信する。また、例えば、ＣＰＵ１０１は、共同編集者として設定したいユーザに対応するアカウントに関する情報をネットワークストレージ８００にアップロードする。これにより、共同編集者として設定したいユーザのみ、Ｓ１９０１で生成したレイアウト情報をダウンロードしたり、編集・変更したりすることが可能なように設定される。なお、共同編集者の設定はこのとき行われる必要はなく、例えば、アルバムの編集・変更処理中に行われても良いし、自動レイアウト処理が行われる前に行われても良い。
【０１４９】
図２０は、画像処理装置１００がユーザＡからの操作を受け付けることで実行する各処理を示すフローチャートである。図２０に示すフローチャートは、例えば、ＣＰＵ１０１がＨＤＤ１０４に格納されたアルバム作成アプリに対応するプログラムをＲＯＭ１０２やＲＡＭ１０３に読み出して実行することにより実現される。
【０１５０】
Ｓ２００１で、ＣＰＵ１０１は、レイアウト情報の同期処理を行う。同期処理は、ユーザＡの操作によって編集・変更されたレイアウト情報や閲覧管理データをネットワークストレージ８００にアップロードする処理である。また、同期処理は、共同編集者の操作によって編集・変更されたレイアウト情報や閲覧管理データをネットワークストレージ８００からダウンロードしたりする処理である。この同期処理により、常に最新の編集結果や、閲覧状態を、共同編集者と共有することができる。
【０１５１】
なお、本実施形態の閲覧管理データの一例を図２３に示す。本実施形態では、各見開きや各ページの閲覧状態や重要度が、図１９に示す処理で生成したレイアウト情報を編集・変更可能なユーザ毎に管理されている。ユーザＡに関する閲覧管理状態が、「未閲覧」の見開きやページは、ユーザＡによって未だ閲覧されていないことが示される。また、ユーザＢに関する閲覧管理状態が、「未閲覧」の見開きやページは、ユーザＢによって未だ閲覧されていないことが示される。なお、図２３は、ユーザＡによってレイアウト情報が生成された後に確認画面が表示されたタイミングにおける閲覧管理データを示している。そのため、この閲覧管理データによって、ユーザＡは確認画面に一番初めに表示される「表示」と「裏表紙」のページのみ閲覧しているが、ユーザＢはいずれの見開きやいずれのページも閲覧していないことが示される。
【０１５２】
続いてＳ２００２で、ＣＰＵ１０１は、図１３に示す確認画面において、ユーザ操作を受け付ける。そして、ＣＰＵ１０１は、受け付けたユーザ操作の内容を特定し、特定した内容に応じて、次の処理に進む。具体的には、ＣＰＵ１０１は、サムネイル領域１３０２上のサムネイルが選択されたり、見開き送りボタン１３０４、１３０５が押下された場合は、Ｓ２００３に進む。また、ＣＰＵ１０１は、アルバム編集ボタン１３０６が押下された場合は、Ｓ２００４に進み、見開き編集ボタン１３０７が押下された場合は、Ｓ２００５に進む。また、ＣＰＵ１０１は、アルバム注文ボタン１３０８が押下された場合は、図２１に示すフローチャートに進む。
【０１５３】
Ｓ２００３で、ＣＰＵ１０１は、表示領域１３０１に表示されている見開きを、ユーザＡから受け付けた操作に応じた見開きに切り替える。このとき、ＣＰＵ１０１は、ユーザＡから受け付けた操作に応じて、閲覧状態管理データ内の、ユーザＡに関する項目を更新する。具体的にはＣＰＵ１０１は、ユーザＡから受け付けた操作に応じた見開きやページの閲覧状態に関する項目を、閲覧済みを示す情報に更新する。
【０１５４】
Ｓ２００４では、ＣＰＵ１０１は、受け付けた入力に応じて、アルバム全体に関する設定を変更する。また、ＣＰＵ１０１は、受け付けた入力に応じて、Ｓ１９０１で生成したレイアウト情報の内容を適宜編集・変更する。さらに、ＣＰＵ１０１は、アルバム全体に関する設定を変更した場合、閲覧状態管理データを更新する。具体的には、ＣＰＵ１０１は、アルバム全体に関する設定が変更された時に表示領域１３０１に表示されている見開き以外の全ての見開きやページの、ユーザＡに関する閲覧状態の項目を、「未閲覧」に切り替える。また、ＣＰＵ１０１は、ユーザＡ以外の全ての共同編集者に関する、全ての見開きやページの閲覧状態の項目を、「未閲覧」に切り替える。そして、ＣＰＵ１０１は、Ｓ２００１に戻る。
【０１５５】
Ｓ２００５では、ＣＰＵ１０１は、受け付けた入力に応じて、表示領域１３０１に表示されている見開きに関する設定を変更する。ＣＰＵ１０１は、見開き設定画面に対する入力をユーザから受け付けることで、表示領域１３０１に表示されている見開きに関する設定を変更する。また、ＣＰＵ１０１は、受け付けた入力に応じて、Ｓ１１０１で生成したレイアウト情報の内容を適宜編集・変更する。また、本実施形態では、閲覧状態管理データのユーザＡに関する項目の更新は特に行われないが、ユーザＡ以外の全ての共同編集者に関する、表示領域１３０１に表示されている見開きやページの閲覧状態の項目を、「未閲覧」に切り替える。そして、ＣＰＵ１０１は、Ｓ２００１に戻る。なおこのとき、ＣＰＵ１０１は、ユーザから受け付けた入力に応じて見開きの重要度を変更しても良いのは第１実施形態のＳ１１０５と同様である。
【０１５６】
Ｓ２００６の処理は、Ｓ１１０６の処理と同様であるため説明を省略する。
【０１５７】
Ｓ２００７で、ＣＰＵ１０１は、レイアウト情報によって表わされる複数の見開きやページ内に、画像処理装置１００を操作するユーザ（ユーザＡ）が未閲覧の見開きやページが１つでもあるか否かを、閲覧状態管理データに基づいて判定する。ＣＰＵ１０１は、ユーザＡが未閲覧の見開きやページがあると判定した場合、Ｓ２００８に進む。一方ＣＰＵ１０１は、ユーザＡが未閲覧の見開きやページが１つもないと判定した場合、図２１のフローチャートが示す処理に進む。
【０１５８】
Ｓ２００８で、ＣＰＵ１０１は、画像処理装置１００を操作するユーザ（ユーザＡ）が未閲覧の見開きやページの重要度のうち最大の重要度がいずれかを特定する。ＣＰＵ１０１は、最大の重要度が０であると判定した場合、エラー処理や警告表示処理を行わずに、図２１のフローチャートが示す処理に進む。また、ＣＰＵ１０１は、最大の重要度が１であると判定した場合、Ｓ２０１０の警告表示処理に進む。また、ＣＰＵ１０１は、最大の重要度が２であると判定した場合、Ｓ２００９のエラー処理に進む。
【０１５９】
Ｓ２００９のエラー処理、Ｓ２０１０の警告表示処理及びＳ２０１１の処理は、Ｓ１１０９のエラー処理、Ｓ１１１０の警告表示処理及びＳ１１１１の処理と同様であるため説明を省略する。
【０１６０】
上述のような形態とすることで、画像処理装置１００を操作するユーザ（ユーザＡ）が未閲覧の見開きやページに設定された重要度に応じて、処理を切り替えることができる。
【０１６１】
図２１は、画像処理装置１００がユーザＡからの操作を受け付けることで実行する各処理を示すフローチャートである。図２１に示すフローチャートは、例えば、ＣＰＵ１０１がＨＤＤ１０４に格納されたアルバム作成アプリに対応するプログラムをＲＯＭ１０２やＲＡＭ１０３に読み出して実行することにより実現される。
【０１６２】
Ｓ２１０１で、ＣＰＵ１０１は、レイアウト情報によって表わされる複数の見開きやページ内に、共同編集者（ユーザＢ）が未閲覧の見開きやページが１つでもあるか否かを、閲覧状態管理データに基づいて判定する。ＣＰＵ１０１は、ユーザＢが未閲覧の見開きやページがあると判定した場合、Ｓ２１０２に進む。一方ＣＰＵ１０１は、ユーザＢが未閲覧の見開きやページが１つもないと判定した場合、Ｓ２０１７の注文処理に進む。このように、本実施形態では、画像処理装置１００を操作しているユーザだけでなく、アルバムの共同編集者についても、未閲覧の見開きやページが無い場合に注文処理が行われる。なお、例えば、ユーザＢ以外にも共同編集者がいる場合は、ＣＰＵ１０１は、ユーザＢ以外の各共同編集者の閲覧状況を確認し、いずれかの共同編集者によって未閲覧の見開きやページが１つでもあるか否かを、閲覧状態管理データに基づいて判定する。
【０１６３】
Ｓ２１０２で、ＣＰＵ１０１は、共同編集者（ユーザＢ）が未閲覧の見開きやページの重要度のうち最大の重要度がいずれかを特定する。ＣＰＵ１０１は、最大の重要度が０であると判定した場合、エラー処理や警告表示処理を行わずに、Ｓ２１０７の注文処理に進む。また、ＣＰＵ１０１は、最大の重要度が１であると判定した場合、Ｓ２１０４の警告表示処理に進む。また、ＣＰＵ１０１は、最大の重要度が２であると判定した場合、Ｓ２１０３のエラー処理に進む。
【０１６４】
Ｓ２１０３で、ＣＰＵ１０１は、エラー処理を実行する。具体的にはＣＰＵ１０１は、例えば、図２６に示すようなエラー画面を表示する。エラー画面は、例えば、共同編集者が未閲覧の見開きやページがあることを示す通知メッセージを含む。そして、ＣＰＵ１０１は、エラー画面におけるＯＫボタンが押下されたら、未閲覧の見開きやページの閲覧を共同編集者に要求・依頼する。具体的には、ＣＰＵ１０１は、Ｅ−ｍａｉｌやチャットシステム等で、未閲覧の見開きやページの閲覧を共同編集者に要求・依頼するための情報を共同編集者が操作する画像処理装置（画像処理装置６００）に送信する。すなわち、ＣＰＵ１０１は、重要度が２の見開きやページが共同編集者によって閲覧済みとなるまで注文処理には進まない。その後、ＣＰＵ１０１は、Ｓ２００１に戻る。このような形態とすることで、共同編集者がアルバムの内容の確認をしていない状態で、アルバムが注文されてしまうことを抑制できる。
【０１６５】
Ｓ２１０４で、ＣＰＵ１０１は、警告表示処理を実行する。具体的にはＣＰＵ１０１は、例えば、図２７に示すような警告画面を表示する。警告画面は例えば、共同編集者が未閲覧の見開きやページがあることを示す通知メッセージを含む。また、警告画面は例えば、共同編集者が未閲覧の見開きやページがある状態で、アルバムの注文を実行してよいか否かを示す入力を共同編集者から受け付けることを示す情報を含む。そして、ＣＰＵ１０１は、エラー画面におけるＯＫボタンが押下されたら、共同編集者が未閲覧の見開きやページがある状態でアルバムの注文を実行してよいか否かを共同編集者に問うための処理を実行する。具体的には、ＣＰＵ１０１は、Ｅ−ｍａｉｌやチャットシステム等で、共同編集者が未閲覧の見開きやページがある状態で、アルバムの注文を実行してよいか否かを共同編集者に問うための情報を共同編集者が操作する画像処理装置に送信する。
【０１６６】
そして、Ｓ２１０５で、ＣＰＵ１０１は、共同編集者が未閲覧の見開きやページがある状態でアルバムの注文を実行してよいか否かを示す情報を、共同編集者が操作する画像処理装置から受信する。
【０１６７】
そして、Ｓ２１０５で、ＣＰＵ１０１は、受信した情報が、アルバムの注文を実行してよいことを示すか否かを判定する。ＣＰＵ１０１は、受信した情報が、アルバムの注文を実行してよいことを示す場合、Ｓ２０１７の注文処理に進む。一方、ＣＰＵ１０１は、受信した情報が、アルバムの注文を実行してよいことを示さない場合、Ｓ２０１７の注文処理に進まず、Ｓ２００１に戻る。
【０１６８】
なお、ＣＰＵ１０１は、共同編集者が未閲覧の見開きやページがある状態でアルバムの注文を実行してよいか否かを示す情報を、一定時間以上経過しても受信しなかった場合は、Ｓ２０１７の注文処理に進んでも良い。
【０１６９】
このように、ＣＰＵ１０１は、共同編集者が未閲覧の見開きやページの重要度のうち最大の重要度が１である場合は、アルバムの注文処理に直接進まず、アルバムの注文を実行するか否かを共同編集者に確認する。そして、ＣＰＵ１０１は、アルバムの注文を実行することが確認された場合にアルバムの注文処理に進む。また、アルバムの注文を実行することが確認されなかった場合には、共同編集者によって見開きやページが閲覧されるかアルバムの注文を実行することが確認されるまで、アルバムの注文処理に進まない。本実施形態では、ＣＰＵ１０１が、上述のようにアルバムの注文を実行するか否かを共同編集者に確認し、確認結果に応じた処理を実行することで、共同編集者が所望する処理を実行することができる。
【０１７０】
Ｓ２１０７では、ＣＰＵ１０１は、注文処理を実行する。Ｓ２１０７はＳ１１１２と同様であるため説明を省略する。
【０１７１】
図２２は、画像処理装置６００がユーザＢからの操作を受け付けることで実行する各処理を示すフローチャートである。図２２に示すフローチャートは、例えば、ＣＰＵ１０１がＨＤＤ１０４に格納されたアルバム作成アプリに対応するプログラムをＲＯＭ１０２やＲＡＭ１０３に読み出して実行することにより実現される。なお、本フローチャートは、Ｓ２１０３やＳ２１０４において画像処理装置１００から送信される情報を受信した場合に開始されるものとする。
【０１７２】
Ｓ２２０１で、ＣＰＵ１０１は、Ｓ２１０３やＳ２１０４において画像処理装置１００から送信される情報に基づく画面を、画像処理装置６００が備えるディスプレイ１０５に表示する。具体的には、ＣＰＵ１０１は、受信した情報がＳ２１０３において画像処理装置１００から送信される情報であった場合は、ユーザＢが未閲覧の見開きやページの閲覧が要求されていることを示す画面をディスプレイ１０５に表示する。またＣＰＵ１０１は、受信した情報がＳ２１０４で画像処理装置１００から送信される情報であった場合、ユーザＢが未閲覧の見開きやページがある状態でアルバムの注文を実行してよいか否かが問われていることを示す画面をディスプレイ１０５に表示する。
【０１７３】
Ｓ２２０２で、ＣＰＵ１０１は、Ｓ２２０１で表示した画面に対する入力をユーザＢから受け付ける。具体的には例えば、ＣＰＵ１０１は、ユーザＢが未閲覧の見開きやページの閲覧が要求されていることを示す画面をＳ２２０１で表示していた場合、ユーザＢが未閲覧の見開きやページを含む確認画面を表示するための入力をユーザＢから受け付ける。そして、ＣＰＵ１０１は、当該入力を受け付けた場合、ユーザＢが未閲覧の見開きやページを含む確認画面を表示する。これにより、ユーザＢが未閲覧であった見開きやページが、ユーザＢが閲覧済みの見開きやページに切り替わる。なおこのとき、ＣＰＵ１０１は、ユーザＢが未閲覧であった見開きやページが、ユーザＢによって閲覧されたことを示す情報を画像処理装置１００に送信しても良い。
【０１７４】
また例えば、ＣＰＵ１０１は、ユーザＢが未閲覧の見開きやページがある状態でアルバムの注文を実行してよいか否かが問われていることを示す画面をＳ２２０１で表示していた場合、アルバムの注文を実行してよいか否かを示す入力をユーザＢから受け付ける。そして、ＣＰＵ１０１は、当該入力を受け付けた場合、受け付けた入力に応じて、アルバムの注文を実行してよいか否かを示す情報を、画像処理装置１００に送信する。なお、アルバムの注文を実行してよいことを示す入力が行われた場合、ＣＰＵ１０１は、閲覧状態管理データにおける、ユーザＢに関する見開きやページの閲覧状態の項目を、全て「閲覧済み」に切り替えても良い。
【０１７５】
このように、本実施形態では、アルバムの共同編集者が設定されている場合には、画像処理装置１００を操作しているユーザが未閲覧の見開きやページだけでなく、アルバムの共同編集者が未閲覧の見開きやページについても考慮して処理が行われる。このような形態とすることで、画像処理装置１００を操作するユーザだけでなく、共同編集者の利便性をも向上させることができる。
【０１７６】
なお、Ｓ２００５の見開き編集処理で、重要度の設定変更を行うことができる形態としているが、このとき、ユーザは、閲覧状態管理データにおける、自身に関わる情報の設定変更が可能なものとする。例えば、ユーザは、自身が映っていない画像のみが含まれる見開きやページに関する重要度を低く設定しておくことで、他のユーザが当該見開きやページを編集したとしても、当該見開きやページを確認する作業を省略することができる。また、例えば、ユーザは、自身が映っている画像が含まれる見開きやページに関する重要度を高く設定しておくことで、他のユーザが当該見開きやページを編集した場合に、当該見開きやページを確認してから注文が行われるようにすることができる。
【０１７７】
なお、図２３には、ユーザＡに関する各見開きや各ページに設定された重要度が、ユーザＢに関する各見開きや各ページに設定された重要度とで同一である例を示したが、この形態に限定されない。例えば、ユーザＡに関する各見開きや各ページに設定された重要度のうち、ユーザＡが含まれる画像が配置されていない見開きやページに設定された重要度を低く設定しても良い。同様に、ユーザＡに関する各見開きや各ページに設定された重要度のうち、ユーザＢが含まれる画像が配置されている見開きやページに設定された重要度を高く設定しても良い。
【０１７８】
なお、本実施形態では、アルバムの共同編集者が設定されている場合について説明したが、例えば、ＣＰＵ１０１は、アルバムの共同編集者が設定されているか否かに応じて、第１実施形態の処理と、第２実施形態の処理とを切り替えても良い。具体的には例えば、ＣＰＵ１０１は、アルバム注文ボタン１３０８が押下された場合は、注文対象のアルバムについて共同編集者が設定されているか否かを判定する。そして、ＣＰＵ１０１は、共同編集者が設定されていると判定した場合、Ｓ１１０６〜Ｓ１１１２の処理を行う。またＣＰＵ１０１は、共同編集者が設定されていないと判定した場合、Ｓ２００６〜Ｓ２０１１及びＳ２１０１〜Ｓ２１０６の処理を行う。
【０１７９】
また、本実施形態では、共同編集者が未閲覧であり、且つ重要度が高い見開きがある状態では、アルバムの注文が行われないように制御していたが、この形態に限定されない。例えば、注文指示が受け付けられた場合に、共同編集者が未閲覧の見開きがあることを示し、且つ注文を続けるか否かを問う画面を表示しても良い。そして、注文を続けることを示す入力が受け付けられた場合にアルバムを注文し、注文を続けることを示さない入力が受け付けられた場合にアルバムを注文しないような形態としても良い。
【０１８０】
（その他の実施形態）
上述の実施形態では、レイアウト情報に基づくアルバムの注文の指示をユーザから受け付けた場合に、未閲覧の見開きやページの重要度に応じてエラー処理や警告表示処理を行うか否かを切り替える画像処理装置１００を説明したが、この形態に限定されない。例えば、画像形成装置２００にレイアウト情報に基づく印刷を行わせるための指示をユーザから受け付けた場合に、未閲覧の見開きやページの重要度に応じてエラー処理や警告表示処理を行うか否かを切り替える画像処理装置１００であっても良い。また、例えば、ネットワーク３００を介して他の画像処理装置にレイアウト情報を送信するための指示をユーザから受け付けた場合に、未閲覧の見開きやページの重要度に応じてエラー処理や警告表示処理を行うか否かを切り替える形態であっても良い。また、例えば、ネットワーク３００を介してＳＮＳサーバにレイアウト情報をアップロードするための指示をユーザから受け付けた場合に、未閲覧の見開きやページの重要度に応じてエラー処理や警告表示処理を行うか否かを切り替える形態であっても良い。すなわち、本発明は、レイアウト情報に関する送信処理が行われる形態であれば、いずれの形態にも適用可能である。これにより、例えば、ユーザの満足度が低い印刷物が出力結果として得られたり、ユーザの満足度が低い画像が出力結果として外部の表示部に表示されたりすることを抑制できる。
【０１８１】
また、上述の実施形態では、レイアウト情報に基づくアルバムの注文の指示をユーザから受け付けた場合に、閲覧されていない画像があること示すメッセージを表示していたが、この形態に限定されない。例えば、レイアウト情報に基づくアルバムの注文の指示をユーザから受け付ける前から、閲覧されていない画像があること示すメッセージを表示しても良い。
【０１８２】
上述の実施形態では、未閲覧の見開きやページの重要度が高い場合、エラー処理として、エラー画面を表示したり、注文処理には進まずに確認画面を再度表示したりしていたが、この形態に限定されない。例えば、未閲覧の見開きやページの重要度が高い場合、アルバム注文ボタン１３０８をグレーアウトさせ、アルバム注文ボタン１３０８の押下を実行できないようにする形態であっても良い。このような形態とすることでも、未閲覧の見開きやページの重要度が高い場合に注文処理に進ませないための制御を実行できる。
【０１８３】
上述の実施形態では、未閲覧の見開きやページの重要度を３段階で設定していた。そして、未閲覧の見開きやページがある状態でレイアウト情報に基づくアルバムの注文の指示をユーザから受け付けた場合に、未閲覧の見開きやページの重要度に応じて、エラー処理、警告表示処理、注文処理のいずれかを実行していた。しかしながら、本発明はこの形態に限定されない。例えば、未閲覧の見開きやページの重要度を２段階で設定し、未閲覧の見開きやページの重要度に応じて、エラー処理と注文処理のいずれかを実行する形態であっても良い。また、例えば、上述と同様に未閲覧の見開きやページの重要度を２段階で設定し、未閲覧の見開きやページの重要度に応じて、警告表示処理、注文処理のいずれかを実行する形態であっても良い。
【０１８４】
上述の実施形態における出力対象は、アルバムの作成に用いられるレイアウト情報であるが、この形態に限定されない。すなわち、出力対象となる情報は、アルバムの作成に用いられる必要はなく、複数の見開きやページのような複数の画像を表わす情報であればいい。
【０１８５】
上述の実施形態では、レイアウト情報が自動レイアウト処理によって生成されていたが、この形態に限定されない。例えば、テンプレートの選択や、テンプレートに配置される画像の選択をユーザが手動で行うことで、レイアウト情報が生成される形態であってもいい。このような形態では、レイアウト情報によって表わされる画像は、レイアウト情報の生成時に全てユーザによって閲覧される。しかしながら例えば、レイアウト情報の生成後にアルバム全体に関する編集処理が行われた場合は、編集後の画像がユーザによって閲覧されていない状態で注文処理が行われてしまうことがある。この課題を解決するために、本発明は、手動で生成されるレイアウト情報が出力される形態においても適用可能である。
【０１８６】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【図１】
2018124779.tif 000003
【図２】
2018124779.tif 000004
【図３】
2018124779.tif 000005
【図４】
2018124779.tif 000006
【図５】
2018124779.tif 000007
【図６】
2018124779.tif 000008
【図７】
2018124779.tif 000009
【図８】
2018124779.tif 000010
【図９】
2018124779.tif 000011
【図１０】
2018124779.tif 000012
【図１１】
2018124779.tif 000013
【図１２】
2018124779.tif 000014
【図１３】
2018124779.tif 000015
【図１４】
2018124779.tif 000016
【図１５】
2018124779.tif 000017
【図１６】
2018124779.tif 000018
【図１７】
2018124779.tif 000019
【図１８】
2018124779.tif 000020
【図１９】
2018124779.tif 000021
【図２０】
2018124779.tif 000022
【図２１】
2018124779.tif 000023
【図２２】
2018124779.tif 000024
【図２３】
2018124779.tif 000025
【図２４】
2018124779.tif 000026
【図２５】
2018124779.tif 000027
【図２６】
2018124779.tif 000028
【図２７】
2018124779.tif 000029